(57)【要約】無線通信システムにおける効率的なデータ伝送およびデータ受信のための技術が説明される。一態様では、ノードＢは、伝送に先立ってＵＥに割り当てられた少なくとも１つのパラメータに基づいて、共有データチャネル上でユーザ装置（ＵＥ）に伝送を送信する。ノードＢは、共有データチャネル上でＵＥに送信される伝送に関してシグナリングを送信しない。ＵＥは、割り当てられた（１つまたは複数の）パラメータに基づいて、共有データチャネルから受信された伝送を処理する。もう１つの態様では、ノードＢは、ＵＥに割り当てられた時間間隔内でＵＥに伝送を送信することが可能である。さらにもう１つの態様では、ノードＢは、割り当てられたパラメータまたは割り当てられないパラメータに基づいてＵＥに伝送を送信することが可能である。ノードＢは、割り当てられないパラメータを用いて伝送が送られるときはいつでもシグナリングを送信する。ＵＥは受信されたシグナリングから取得されたパラメータまたは割り当てられたパラメータに基づいて伝送を処理することができる。
2009514485.tif 000002
【特許請求の範囲】
【請求項１】
複数のユーザ装置によって共有されるデータチャネル上で伝送を受信することと、
前記伝送を前記受信するのに先立って、前記ユーザ装置に割り当てられた少なくとも１つのパラメータに基づいて、前記ユーザ装置によって前記受信された伝送を処理することと
を備える方法。
【請求項２】
前記少なくとも１つのパラメータが、チャネライゼーションコード、伝送形式、ブロックサイズ、変調方式、および再伝送パラメータのうちの少なくとも１つを備える、請求項１に記載の方法。
【請求項３】
前記少なくとも１つのパラメータが、前記ユーザ装置への伝送のために使用可能な複数の伝送形式を備える、請求項１に記載の方法。
【請求項４】
前記処理することが、
前記ユーザ装置が前記受信された伝送の意図した受信者であるかどうかを判定すること
を備える、請求項１に記載の方法。
【請求項５】
前記判定することが、
前記ユーザ装置用の識別子を用いて前記受信された伝送を検査すること
を備える、請求項４に記載の方法。
【請求項６】
前記検査することが、
前記ユーザ装置用の前記識別子を用いて前記受信された伝送に関して巡回冗長検査（ＣＲＣ）をディスクランブルすること
を備える、請求項５に記載の方法。
【請求項７】
前記判定することが、
前記ユーザ装置用の前記識別子を用いて前記受信された伝送をディスクランブルすること
を備える、請求項４に記載の方法。
【請求項８】
前記処理することが、
前記受信された伝送が新しい伝送であるか、または再伝送であるかを判定すること
を含む、請求項１に記載の方法。
【請求項９】
前記判定することが、先の伝送の復号結果、前記受信された伝送と先の伝送の間の時間量、および許可された再伝送数のうちの少なくとも１つに基づく、請求項８に記載の方法。
【請求項１０】
前記処理することが、
復号されたパケットを取得するために、前記受信された伝送を新しい伝送として処理することと、
前記復号されたパケットが誤りである場合、前記受信された伝送を再伝送として処理することと
を備える、請求項１に記載の方法。
【請求項１１】
前記処理することが、
復号されたパケットを取得するために、前記受信された伝送を再伝送として処理することと、
前記復号されたパケットが誤りである場合、前記受信された伝送を新しい伝送として処理することと
を備える、請求項１に記載の方法。
【請求項１２】
前記受信された伝送が少なくとも１つのデータパケットを備える、請求項１に記載の方法。
【請求項１３】
前記処理することがダウンリンク制御情報を使用せずに実行される、請求項１に記載の方法。
【請求項１４】
前記処理することが、
前記受信された伝送のために利用可能な複数の伝送形式に基づいて前記受信された伝送を復号すること
を備える、請求項１に記載の方法。
【請求項１５】
前記処理することが、
前記データチャネルに関して最短のチャネライゼーションコードよりも長いチャネライゼーションコードを用いて前記受信された伝送を逆拡散すること
を備える、請求項１に記載の方法。
【請求項１６】
前記受信することが、
前記データチャネル上で伝送を不連続的に受信すること
を備える、請求項１に記載の方法。
【請求項１７】
前記データチャネル上で少なくとも１つの追加の伝送を受信することと、
前記少なくとも１つのパラメータに基づいて、前記ユーザ装置によって前記少なくとも１つの追加の受信された伝送を処理することと
をさらに備える、請求項１に記載の方法。
【請求項１８】
呼セットアップまたは再構成の間に、前記少なくとも１つのパラメータを受信すること
をさらに備える、請求項１に記載の方法。
【請求項１９】
複数のユーザ装置によって共有されるデータチャネル上で伝送を受信することと、
前記受信された伝送のために利用可能であり、かつ前記伝送を前記受信するのに先立って、ユーザ装置に割り当てられた複数の伝送形式に基づいて前記ユーザ装置によって前記受信された伝送を処理することと
を備える方法。
【請求項２０】
前記処理することが、
前記複数の伝送形式のうちの１つを選択することと、
前記選択された伝送形式に基づいて前記受信された伝送を処理することと、
前記受信された伝送が正しく復号された場合、前記受信された伝送を前記処理することを終了することと、
前記受信された伝送が正しく復号されない場合、前記複数の伝送形式のうちのもう１つに関して前記選択することおよび前記処理することを繰り返すことと
を備える、請求項１９に記載の方法。
【請求項２１】
前記複数の伝送形式が、複数のブロックサイズ、複数のコードレート、複数の変調方式、複数のチャネライゼーションコード、および複数の時間間隔のうちの少なくとも１つを備える、請求項１９に記載の方法。
【請求項２２】
複数のユーザ装置によって共有されるデータチャネル上で伝送を受信して、前記伝送を受信するのに先立って、前記ユーザ装置に割り当てられた少なくとも１つのパラメータに基づいて、前記受信された伝送を処理するためのプロセッサと、
前記プロセッサに結合されたメモリと
を備えるユーザ装置。
【請求項２３】
前記プロセッサが、前記データチャネル上で少なくとも１つの追加の伝送を受信し、前記少なくとも１つのパラメータに基づいて前記少なくとも１つの追加の受信された伝送を処理する、請求項２２に記載のユーザ装置。
【請求項２４】
複数のユーザ装置によって共有されるデータチャネル上で伝送を受信するための手段と、
前記伝送を受信するのに先立って、前記ユーザ装置に割り当てられた少なくとも１つのパラメータに基づいて前記受信された伝送を処理するための手段と
を備えるユーザ装置。
【請求項２５】
前記データチャネル上で少なくとも１つの追加の伝送を受信するための手段と、
前記少なくとも１つのパラメータに基づいて前記少なくとも１つの追加の受信された伝送を処理するための手段と
をさらに備える、請求項２４に記載のユーザ装置。
【請求項２６】
ユーザ装置に割り当てられた時間間隔内で、データチャネル上で複数の伝送を受信することと、
前記ユーザ装置に割り当てられた少なくとも１つのパラメータに基づいて前記複数の受信された伝送を処理することと
を備える方法。
【請求項２７】
呼セットアップまたは再構成の間に、前記ユーザ装置に割り当てられた前記時間間隔と、前記少なくとも１つのパラメータとを受信すること
をさらに備える、請求項２６に記載の方法。
【請求項２８】
少なくとも１つのパラメータをユーザ装置に割り当てることと、
前記少なくとも１つの割り当てられたパラメータに基づいて、前記ユーザ装置によって処理するために複数のユーザ装置によって共有されるデータチャネル上で伝送を送信することと
を備える方法。
【請求項２９】
少なくとも１つのパラメータを前記割り当てることが、
複数の伝送形式を前記ユーザ装置に割り当てることを備える、請求項２８に記載の方法。
【請求項３０】
前記ユーザ装置用の識別子を用いて前記伝送の少なくとも一部をスクランブルすること
をさらに備える、請求項２８に記載の方法。
【請求項３１】
前記送信することが、
前記ユーザ装置に割り当てられた時間間隔内で、前記データチャネル上で前記伝送を送信すること
を備える、請求項２８に記載の方法。
【請求項３２】
前記データチャネル上で前記伝送に関して制御チャネル上でシグナリングを送信しないこと
をさらに備える、請求項２８に記載の方法。
【請求項３３】
無線通信システム内の基地局であって、
少なくとも１つのパラメータをユーザ装置に割り当て、前記少なくとも１つの割り当てられたパラメータに基づいて、前記ユーザ装置によって処理するために複数のユーザ装置によって共有されるデータチャネル上で伝送を送信し、前記データチャネル上での前記伝送に関して制御チャネル上でシグナリングを送信しないためのプロセッサと、
前記プロセッサに結合されたメモリと
を備える基地局。
【請求項３４】
前記少なくとも１つのパラメータが伝送形式を備え、前記プロセッサが前記ユーザ装置への伝送形式を特定する、請求項３３に記載の基地局。
【請求項３５】
ユーザ装置に割り当てられた時間間隔内で複数のユーザ装置によって共有されるデータチャネル上で伝送を受信することであって、前記時間間隔が前記ユーザ装置へのデータ伝送のために利用可能な個々に選択された時間間隔のパターンに基づいて決定される、受信することと、
前記ユーザ装置によって前記受信された伝送を処理することと
を備える方法。
【請求項３６】
前記パターン内の前記個々に選択された時間間隔がデータパケットの伝送および再伝送のために利用可能である、請求項３５に記載の方法。
【請求項３７】
前記ユーザ装置に割り当てられた前記時間間隔がその他のユーザ装置に割当て可能である、請求項３５に記載の方法。
【請求項３８】
前記処理することが、
前記時間間隔のために利用可能な複数の伝送形式に基づいて前記受信された伝送を処理すること
を備える、請求項３５に記載の方法。
【請求項３９】
前記処理することが、
前記受信された伝送から回復されたデータが前記ユーザ装置を対象とするかどうかを判定すること
を備える、請求項３５に記載の方法。
【請求項４０】
前記処理することが、
前記ユーザ装置用の識別子を用いて前記受信された伝送の少なくとも一部をディスクランブルすること
を備える、請求項３５に記載の方法。
【請求項４１】
前記処理することが、
前記割り当てられた時間間隔に関してチャネライゼーションコードを用いて前記受信された伝送をディスクランブルすること
を備える、請求項３５に記載の方法。
【請求項４２】
前記ユーザ装置に割り当たられ、かつ前記パターンに基づいて決定された時間間隔の間に前記データチャネルを監視することと、
残りの時間の間に前記データチャネルを監視しないことと
をさらに備える、請求項３５に記載の方法。
【請求項４３】
伝送と再伝送とが前記パターンの異なる繰返しの際に送信されない、請求項３５に記載の方法。
【請求項４４】
前記ユーザ装置に割り当てられた複数の時間間隔内で複数のユーザ装置によって共有されるデータチャネル上で複数の伝送を受信することであって、前記複数の時間間隔が個々に選択された時間間隔のパターンに基づいて決定される、受信することと、
前記ユーザ装置によって前記複数の伝送を処理することと
を備える方法。
【請求項４５】
ユーザ装置に割り当てられ、かつ前記ユーザ装置へのデータ伝送のために利用可能な個々に選択された時間間隔のパターンに基づいて決定された時間間隔内で複数のユーザ装置によって共有されるデータチャネル上で伝送を受信して、前記受信された伝送を処理するためのプロセッサと、
前記プロセッサに結合されたメモリと
を備えるユーザ装置。
【請求項４６】
ユーザ装置に割り当てられた時間間隔内で複数のユーザ装置によって共有されるデータチャネル上で伝送を受信するための手段であって、前記時間間隔が前記ユーザ装置へのデータ伝送のために利用可能な個々に選択された時間間隔のパターンに基づいて決定される、受信するための手段と、
前記受信された伝送を処理するための手段と
を備えるユーザ装置。
【請求項４７】
少なくとも１つの時間間隔をユーザ装置に割り当てることと、
前記ユーザ装置による処理のために複数のユーザ装置によって共有されるデータチャネル上で前記少なくとも１つの時間間隔の間に伝送を送信することと
を備える方法。
【請求項４８】
無線通信システム内の基地局であって、
少なくとも１つの時間間隔をユーザ装置に割り当てて、前記ユーザ装置による処理のため複数のユーザ装置によって共有されるデータチャネル上で前記少なくとも１つの時間間隔の間に伝送を送信するためのプロセッサと、
前記プロセッサに結合されたメモリと
を備える基地局。
【請求項４９】
伝送のために選択された少なくとも１つのパラメータに基づいて前記伝送をユーザ装置に送信することと、
前記少なくとも１つの選択されたパラメータが前記ユーザ装置に割り当てられた少なくとも１つのパラメータ内に存在しない場合、前記少なくとも１つの選択されたパラメータを備えるシグナリングを前記ユーザ装置に送信することと、
前記少なくとも１つの選択されたパラメータが前記少なくとも１つの割り当てられたパラメータ内に存在する場合、前記伝送に関してシグナリングを送信しないことと
を備える方法。
【請求項５０】
前記ユーザ装置に割り当てられた時間間隔の間に送信された伝送に関して前記少なくとも１つの割り当てられたパラメータだけを使用すること
をさらに備える、請求項４９に記載の方法。
【請求項５１】
前記ユーザ装置に送信された複数の伝送の各々に関して少なくとも１つのパラメータを選択することと、
前記少なくとも１つの割り当てられたパラメータ内に存在しないパラメータを用いて送信された伝送に関してシグナリングを送信することと
をさらに備える、請求項４９に記載の方法。
【請求項５２】
制御チャネル上でシグナリングを復号することと、
前記シグナリングが首尾よく復号された場合、前記シグナリングから取得された少なくとも１つのパラメータに基づいて伝送を処理することと、
前記シグナリングが首尾よく復号されない場合、ユーザ装置に割り当てられた少なくとも１つのパラメータに基づいて前記伝送を処理することと
を備える方法。
【請求項５３】
前記ユーザ装置に割り当てられた前記少なくとも１つのパラメータに基づいて前記伝送が首尾よく復号されない場合、前記ユーザ装置に割り当てられた少なくとも１つの異なるパラメータに基づいて前記伝送を処理すること
をさらに備える、請求項５２に記載の方法。
【請求項５４】
前記ユーザ設備に割り当てられた少なくとも１つのパラメータに基づいて前記伝送を前記処理することが、
前記伝送を新しい伝送として処理することと、
前記伝送が新しい伝送として首尾よく復号されない場合、前記伝送を再伝送として処理することと
を備える、請求項５２に記載の方法。
【請求項５５】
前記伝送が首尾よく復号されない場合、将来の組合せのために前記伝送を記憶すること
をさらに備える、請求項５２に記載の方法。
【請求項５６】
前記ユーザ装置に割り当てられた少なくとも１つのパラメータに基づいて前記伝送を前記処理することが、
組み合わされた伝送を取得するために前記伝送を記憶された伝送と組み合わせることと、
前記ユーザ装置に割り当てられた前記少なくとも１つのパラメータに基づいて前記組み合わされた伝送を処理することと
を備える、請求項５２に記載の方法。
【請求項５７】
呼セットアップまたは再構成の間に、前記ユーザ装置に割り当てられた前記少なくとも１つのパラメータを受信すること
をさらに備える、請求項５２に記載の方法。
【発明の詳細な説明】
【技術分野】
【０００１】
米国特許法第１１９条に基づく優先権主張
本特許出願は、２００５年１０月３１日に出願され、本出願の譲受人に譲渡され、参照により本明細書に明示的に組み込まれている、「ＨＳＤＰＡ  ＥＮＨＡＮＣＥＭＥＮＴＳ  ＦＯＲ  ＲＥＡＬ−ＴＩＭＥ  ＳＥＲＶＩＣＥＳ」という表題の米国特許仮出願第６０／７３２，４１８号の優先権を主張する。
【０００２】
本開示は、一般に通信に関し、より詳細には、無線通信システム内でデータを送信するための技術に関する。
【背景技術】
【０００３】
無線多重接続通信システムは、多くのユーザ装置（ＵＥ）向けの通信をサポートする多くのノードＢ（すなわち、基地局）を含むことが可能である。ノードＢは、ダウンリンク上とアップリンク上とで複数のＵＥと通信することができる。ダウンリンク（すなわち、順方向リンク）は、ノードＢからＵＥへの通信リンクを指し、アップリンク（すなわち、逆方向リンク）は、ＵＥからノードＢへの通信リンクを指す。
【０００４】
ダウンリンク上で、ノードＢは専用のデータチャネルおよび／または共有データチャネルを使用して複数のＵＥにデータを送信することが可能である。専用のデータチャネルは、特定のＵＥに割り当てられたデータチャネルであり、そのＵＥだけにデータを送信するために使用される。共有データチャネルは、複数のＵＥによって共有され、いかなる所与の時点でも１つまたは複数のＵＥのためにデータを運ぶことができる。データチャネルはデータを送信するための機構であり、システムによって使用される無線技術に依存する可能性がある。例えば、符号分割多元接続（ＣＤＭＡ）システムでは、データチャネルは特定のチャネライゼーションコード（ｃｈａｎｎｅｌｉｚａｔｉｏｎ  ｃｏｄｅ）、例えば、特定のウォルシュコードと関連づけられる可能性がある。
【０００５】
ノードＢは、様々な利点を達成するために共有データチャネルを使用することが可能である。各ＵＥは必要に応じて、かつそのＵＥにサービス提供するのに足りるだけの無線リソースを使用してサービス提供され得るため、共有データチャネルは、利用可能な無線リソースのよりよい利用を可能にすることができる。共有データチャネルのために利用可能なすべての無線リソースは潜在的に１つのＵＥのために使用され得るため、共有データチャネルはまた、ＵＥのためにより高いピークデータ転送速度をサポートすることも可能である。共有データチャネルはまた、ダウンリンク上のデータ転送に関してＵＥをスケジュールする際に柔軟性を提供することも可能である。
【０００６】
ノードＢは、共有データチャネルがどのように使用されるかを伝えるために、共有データチャネルと平行して共有制御チャネル上でシグナリングを送信することが可能である。例えば、シグナリングは、どの（１つまたは複数の）ＵＥがサービス提供されているか、サービス提供されている、各ＵＥに割り当てられた無線リソース、データが各ＵＥにどのように送られるかなどを伝えることができる。共有データチャネルの動的性質により、共有データチャネル上で潜在的にデータを受信することが可能なＵＥは、データがそれらのＵＥに送られているかどうかを判定するために、連続して共有制御チャネルを監視することが可能である。共有制御チャネル上でシグナリングを受信する各ＵＥは、ＵＥに送信されたデータを回復するために、受信されたシグナリングに基づいて共有データチャネルを処理することができる。共有制御チャネルは、共有データチャネルのためのオーバヘッドを表す。
【発明の開示】
【発明の概要】
【０００７】
無線通信システムにおける効率的なデータ伝送およびデータ受信のための技術が本明細書で説明される。一態様によれば、ＵＥは複数のＵＥによって共有されるデータチャネル上で伝送を受信する。ＵＥは、伝送を受信するのに先立って、ＵＥに割り当てられた少なくとも１つのパラメータに基づいて受信された伝送を処理する。
【０００８】
もう１つの態様によれば、ＵＥは、ＵＥに割り当てられた時間間隔内で複数のＵＥによって共有されたデータチャネル上で伝送を受信する。時間間隔は、ＵＥへのデータ送信のために使用可能な個々に選択された時間間隔のパターンに基づいて決定される。ＵＥは受信された伝送を処理する。
【０００９】
しかももう１つの態様によれば、ＵＥは制御チャネル上でシグナリングを復号する。シグナリングが首尾よく復号された場合、ＵＥは、シグナリングから得られた少なくとも１つのパラメータに基づいて受信された伝送を処理する。シグナリングが首尾よく復号されない場合、ＵＥは、ＵＥに割り当てられた少なくとも１つのパラメータに基づいて受信された伝送を処理する。
【詳細な説明】
【００１０】
図１は、複数のノードＢ１１０と複数のＵＥ１２０とを有する無線通信システム１００を示す。ノードＢは、一般に、ＵＥと通信し、基地局、拡張ノードＢ（ｅノードＢ）、アクセスポイントなどと呼ばれる場合もある固定局である。各ノードＢ１１０は、特定の地理的領域に対して通信受信可能範囲を提供し、その受信可能範囲内に配置されるＵＥ向けの通信をサポートする。システムコントローラ１３０はノードＢ１１０に結合して、それらのノードＢに対して調整と制御とを提供する。システムコントローラ１３０は、単一のネットワーク実体であってよく、またはネットワーク実体の集合であってもよい。例えば、システムコントローラ１３０は、無線ネットワークコントローラ（ＲＮＣ）、移動体交換センター（ＭＳＣ）などを備えてよい。
【００１１】
ＵＥ１２０は、システムの全体にわたって分散されてよく、各ＵＥは静止体であってもよく、または移動体であってもよい。ＵＥは、移動体局、端末、アクセス端末、加入者装置、局などと呼ばれる場合もある。ＵＥは、携帯電話、携帯情報端末（ＰＤＡ）、無線通信装置、ハンドヘルド装置、無線モデム、ラップトップコンピュータなどであってよい。ＵＥは、ノードＢとアクティブに通信することが可能であり、またはノードＢからパイロットとシグナリングとだけを受信することが可能である。用語「ＵＥ」および「ユーザ」は、本明細書で交換可能に使用される。
【００１２】
図２は、図１のノードＢのうちの１つおよびＵＥのうちの１つである、ノードＢ１１０とＵＥ１２０のブロック図を示す。ノードＢ１１０で、送信（ＴＸ）データプロセッサ２１０は、データソース（図示せず）からトラヒックデータを受信し、コントローラ／プロセッサ２４０からシグナリングを受信して、トラヒックデータとシグナリングとを処理（例えば、フォーマット、符号化、インタリーブ、および記号マップ）し、データ記号とシグナリング記号とを提供する。変調器２２０は、システムによって特定されるようにデータ記号とシグナリング記号とを処理して、アウトプットチップを提供する。送信機（ＴＭＴＲ）２２２は、アウトプットチップを処理（例えば、アナログに変換、増幅、フィルタリング、および周波数アップコンバート）して、アンテナ２２４から送信されるダウンリンク信号を生成する。
【００１３】
ＵＥ１２０で、アンテナ２５２は、ノードＢ１１０からダウンリンク信号を受信して、受信された信号を受信機（ＲＣＶＲ）２５４に提供する。受信機２５４は、受信された信号を調整（例えば、フィルタリング、増幅、周波数ダウンコンバート、およびデジタル化）して、受信されたサンプルを提供する。復調器（Ｄｅｍｏｄ）２６０は、変調器２２０による処理に対して相補的な方法で受信されたサンプルを処理して、記号推定を提供する。受信（ＲＸ）データプロセッサ２７０は、記号推定を処理（例えば、記号デマップ、ディインタリーブ、および復号）して、ＵＥ１１０のために復号化されたデータを提供する。
【００１４】
アップリンク上、ＵＥ１２０で、データとシグナリングとはＴＸデータプロセッサ２９０によって処理され、変調器２９２によって変調され、送信機２９４によって調整されて、アンテナ２５２を経由して送信される。ノードＢ１１０で、ＵＥ１２０およびその他のＵＥからのアップリンク信号は、アンテナ２２４によって受信されて、受信機２３０によって調整され、復調器２３２によって復調されて、ＵＥによって送られたデータとシグナリングとを回復するためにＲＸデータプロセッサ２３４によって処理される。一般に、アップリンク伝送のための処理は、ダウンリンク伝送のための処理と類似する場合があり、または異なる場合もある。
【００１５】
コントローラ２４０および２８０は、それぞれ、ノードＢ１１０およびＵＥ１２０で動作を命令する。メモリ２４２および２８２は、それぞれ、ノードＢ１１０およびＵＥ１２０のためにデータとプログラムコードとを記憶する。
【００１６】
本明細書で説明される技術は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システムなど、様々な無線通信システムのために使用されることが可能である。用語「システム」および「ネットワーク」は、多くの場合、交換可能に使用される。ＣＤＭＡシステムは、広帯域ＣＤＭＡ（Ｗ−ＣＤＭＡ）、ｃｄｍａ２０００などの無線技術を利用することが可能であり、ｃｄｍａ２０００は、ＩＳ−２０００規格と、ＩＳ−８５６規格と、ＩＳ−９５規格とを網羅する。ＴＤＭＡシステムは、世界的な移動体通信システム（Ｇｌｏｂａｌ  Ｓｙｓｔｅｍ  ｆｏｒ  Ｍｏｂｉｌｅ  Ｃｏｍｍｕｎｉｃａｔｉｏｎｓ）（ＧＳＭ）などの無線技術を利用することが可能である。これらの様々な無線技術および無線規格は、当技術分野で知られている。Ｗ−ＣＤＭＡとＧＳＭとは「第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）」（３ＧＰＰ）と名づけられた機関からの文書内で説明され、ｃｄｍａ２０００は「第３世代パートナーシッププロジェクト２」（３ＧＰＰ２）と名づけられた機関からの文書内で説明される。分かりやすくするために、これらの技術は、下でＷ−ＣＤＭＡシステムにおけるダウンリンク伝送に関して説明される。
【００１７】
Ｗ−ＣＤＭＡでは、ＵＥ向けのデータは、より高い層で１つまたは複数のトランスポートチャネルとして処理される。トランスポートチャネルは、１つまたは複数のサービス、例えば、音声、ビデオ、パケットデータ、ゲーミング（ｇａｍｉｎｇ）などに関してデータを運ぶことができる。トランスポートチャネルは、物理層で物理的チャネルにマップされる。物理的チャネルは、異なるチャネライゼーションコードを用いてチャネル化され（ｃｈａｎｎｅｌｉｚｅｄ）、コードドメイン内で互いに直交である。
【００１８】
３ＧＰＰリリース５以降は、ダウンリンク上で高速パケットデータ伝送を可能にするチャネルと手順のセットである高速ダウンリンクパケットアクセス（ＨＳＤＰＡ）をサポートする。ＨＳＤＰＡの場合、ノードＢは、時間とコードの両方で、すべてのＵＥによって共有されるダウンリンクトランスポートチャネルである高速ダウンリンク共有チャネル（ＨＳ−ＤＳＣＨ）上でデータを送信する。ＨＳ−ＤＳＣＨは、所与の伝送時間間隔（ＴＴＩ）内で１つまたは複数のＵＥのためにデータを運ぶことが可能である。ＴＴＩは、ＨＳＤＰＡ用の１つのサブフレームに等しく、その中でＵＥがスケジュールされ、サービス提供され得る時間の最小単位である。ＨＳ−ＤＳＣＨの共有は動的であり、ＴＴＩからＴＴＩに変化することが可能である。
【００１９】
表１は、ＨＳＤＰＡのために使用されるダウンリンクおよびアップリンクのいくつかの物理的チャネルを列挙し、各物理的チャネルに関して短い説明を提供する。
【表１】
2009514485.tif 000003
【００２０】
ＨＳＤＰＡの場合、ノードＢは、ＨＳ−ＰＤＳＣＨに関して１６の拡散率（ＳＦ＝１６）を有する、最高で１５個までの１６チップチャネライゼーションコードを使用することができる。ノードＢはまた、ＨＳ−ＳＣＣＨに関して１２８の拡散率（ＳＦ＝１２８）を有する、任意の数の１２８チップチャネライゼーションコードを使用することもできる。ＨＳ−ＰＤＳＣＨ用の１６チップチャネライゼーションコードの数、およびＨＳ−ＳＣＣＨ用の１２８チップチャネライゼーションコードの数は構成可能である。ＨＳ−ＰＤＳＣＨ用とＨＳ−ＳＣＣＨ用のチャネライゼーションコードは、構造化された方法で生成され得る直交可変拡散率（ｏｒｔｈｏｇｏｎａｌ  ｖａｒｉａｂｌｅ  ｓｐｒｅａｄｉｎｇ  ｆａｃｔｏｒ）（ＯＶＳＦ）コードである。拡散率（ＳＦ）は、チャネライゼーションコードの長さである。記号は、記号に関してＳＦチップを生成するために、長さＳＦのチャネライゼーションコードを用いて拡散する。
【００２１】
ＵＥには、ＨＳ−ＰＤＳＣＨに関して最高で１５個までの１６チップチャネライゼーションコード、ＨＳ−ＳＣＣＨに関して最高で４個までの１２８チップチャネライゼーションコードが割り当てられることが可能である。ＨＳ−ＳＣＣＨ用のチャネライゼーションコードは、呼セットアップ時にＵＥに割り当てられて、上層シグナリングを経由してＵＥに信号が送られる。ＨＳ−ＰＤＳＣＨ用のチャネライゼーションコードは動的に割り当てられて、割り当てられた１２８チップチャネライゼーションコードのうちの１つを使用して、ＨＳ−ＳＣＣＨ上で送信されたシグナリングを経由してＵＥに伝えられる。
【００２２】
ＨＳＤＰＡは、（ａ）各ＨＳ−ＰＤＳＣＨが異なる１６チップチャネライゼーションコードを使用することにより、最高で１５個までのＨＳ−ＰＤＳＣＨを有する、および（ｂ）各ＨＳ−ＳＣＣＨが異なる１２８チップチャネライゼーションコードを使用することにより、任意の数のＨＳ−ＳＳＣＨを有すると見なされることも可能である。この場合、ＵＥには、最高で４個までのＨＳ−ＳＣＣＨ、および最高で１５個までのＨＳ−ＰＤＳＣＨが割り当てられることが可能である。以下の説明では、ＨＳＤＰＡは、（ａ）最高で１５個までの１６チップチャネライゼーションコードを有する単一のＨＳ−ＰＤＳＣＨ、および（ｂ）任意の数の１２８チップチャネライゼーションコードを有する単一のＨＳ−ＳＣＣＨを有すると見なされる。以下の説明では、チャネライゼーションコードへの参照は、特に言及がない限り、ＨＳ−ＰＤＳＣＨに関する。
【００２３】
図３は、Ｗ−ＣＤＭＡにおけるフレーム形式を示す。伝送のためのタイムラインは、無線フレームに分割される。ダウンリンク上の無線フレームは、共通パイロットチャネル（ＣＰＩＣＨ）のタイミングに関連して定義される。各無線フレームは、１０ミリ秒（ｍｓ）の期間を有し、１２ビットのシステムフレーム番号（ＳＦＮ）によって識別される。各無線フレームは、スロット０からスロット１５としてラベルづけされる１５個のスロットにさらに区分化される。各スロットは０．６６７ｍｓの期間を有し、３．８４メガチップ／秒（Ｍｃｐｓ）で２５６０個のチップを含む。各無線フレームはまた、０から４のサブフレームにも区分化される。各無線フレームは、２ｍｓの期間を有し、３個のスロットに及ぶ（ｓｐａｎｓ）。ＨＳ−ＳＣＣＨのサブフレームは、ＣＰＩＣＨの無線フレームと時間合わせされる。ＨＳ−ＰＤＳＣＨのサブフレームは、ＨＳ−ＳＣＣＨのサブフレームに関連して２個のスロットだけ右にシフトされる（すなわち、遅延される）。
【００２４】
ＨＳ−ＤＳＣＨは、サービス提供されているＵＥ向けのトランスポートブロックを運ぶ。トランスポートブロックはデータのブロックであり、データブロック、パケットなどと呼ばれる場合もある。各トランスポートブロックは、符号化および変調され、次いで、ＨＳ−ＰＤＳＣＨ上で送信される。
【００２５】
ＨＳＤＰＡは、増分冗長（ＩＲ）とも呼ばれるハイブリッド自動再伝送（ｈｙｂｒｉｄ  ａｕｔｏｍａｔｉｃ  ｒｅｔｒａｎｓｍｉｓｓｉｏｎ）（ＨＡＲＱ）をサポートする。ＨＡＲＱの場合、ノードＢは、トランスポートブロックに関して新しい伝送を送信して、トランスポートブロックがＵＥによって正しく復号されるまで、もしくは最高数の再伝送が送信されるまで、またはいくつかのその他の終了条件に遭遇するまで、１つまたは複数の再伝送を送信することができる。ノードＢは、このように、トランスポートブロックに関して可変数の伝送を送信することが可能である。第１の伝送は新しい伝送と呼ばれ、後続の各伝送は再伝送と呼ばれる。ＨＳＤＰＡは、再伝送が先の伝送の後に可変時間量送信されることを意味する非同期ＩＲをサポートする。対照的に、同期ＩＲの場合、再伝送は、先の伝送の後に固定時間量送信される。同期ＩＲと非同期ＩＲの両方の場合、トランスポートブロックの連続する伝送間に時間差が存在する。この時間差の間、その他のトランスポートブロックに関して伝送が発生する可能性がある。異なるトランスポートブロックの伝送は、したがって、ＨＡＲＱによりインタリーブされ得る。
【００２６】
ＨＳＤＰＡでのＨＡＲＱの場合、ノードＢは、トランスポートブロックに関して巡回冗長検査（ＣＲＣ）を生成して、ＣＲＣをトランスポートブロックに添付し、符号化されたブロックを取得するために、符号化方式またはコードレートに基づいて、トランスポートブロックとＣＲＣとを符号化する。ＣＲＣは、復号の後で誤りを検出するためにＵＥによって使用される。ノードＢは、符号化されたブロックを複数の冗長バージョンに区分化する。各冗長バージョンは、トランスポートブロックに関して、異なる符号化された情報（すなわち、コードビット）を含んでよい。ノードＢは、トランスポートブロックの各伝送に関して、１つの冗長バージョンを送信することができる。ＨＳＤＰＡでは、ノードＢは、トランスポートブロックに送信するために冗長バージョンの系列を選択することが可能である。
【００２７】
ノードＢは、ＨＳ−ＰＤＳＣＨ上で送信された各伝送に関してＨＳ−ＳＣＣＨ上でシグナリングを送信する。表２は、ＨＳＤＰＡリリース５のＨＳ−ＳＣＣＨ上で送信されたシグナリングを提示する。表２の第１の列は、シグナリング内に含まれた情報の異なるフィールドまたはタイプを列挙し、第２の列は各フィールドのサイズを提示し、第３の列は、各フィールドによって何が伝えられるかの短い説明を提示する。第４の列が下で説明される。
【表２】
2009514485.tif 000004
【００２８】
ＨＳ−ＳＣＣＨ上のシグナリングは、トランスポート形式と、リソース関連情報（ＴＥＲＩ）と、ＨＡＲＱ関連情報（すなわち、ＨＡＲＱ情報）とを含む。ＴＦＲＩは、チャネライゼーションコードセットと、変調方式と、トランスポートブロックサイズとを含む。ＨＡＲＱ情報は、ＨＡＲＱプロセス番号と、冗長バージョンと、新しいデータインジケータとを含む。シグナリングは２つの部分で処理される。第１部は、チャネライゼーションセットおよび変調方式のために８ビットを含む。第２部は、トランスポートブロックサイズおよびＨＡＲＱ情報のために１３ビットを含む。ＣＲＣは第１部と第２部の両方に対して計算される。第１部はレート１／２の畳込み符号により符号化され、ＵＥ  ＩＤによりスクランブルされて、サブフレームの第１のスロット内で送信される。第２部とＣＲＣとは、レート１／２の畳込み符号により符号化され、サブフレームの最後の２つのスロット内で送信される。これは、ＨＳ−ＰＤＳＣＨ上のデータ伝送に先立って、ＵＥがＨＳ−ＳＣＣＨから第１部の時間制約型（ｔｉｍｅ  ｃｒｉｔｉｃａｌ）情報を回復することを可能にする。
【００２９】
図４は、シグナリングを用いたＨＳ−ＤＳＣＨ上のデータ伝送を示す。ＵＥは、パイロットに基づいて、その受信された信号品質を周期的に推定して、ＨＳ−ＤＰＳＣＣＨ上でチャネル品質インジケータ（ＣＱＩ）を送信する。ノードＢは、ＵＥに送るためのデータを有し、ダウンリンク伝送のためにＵＥをスケジュールする。ノードＢは、ＨＳ−ＳＣＣＨ上でＵＥのためにシグナリングを送信して、ＨＳ−ＰＤＳＣＨ上でＵＥのためにトランスポートブロックの第１の伝送を送信する。ＨＳ−ＰＤＳＣＨ上のデータ伝送は、ＨＳ−ＳＣＣＨ上の対応するシグナリング伝送から２個のスロットだけ遅延される。
【００３０】
ＵＥはＨＳ−ＳＣＣＨを処理して、ＵＥに送信されたシグナリングを回復する。次いで、ＵＥは、受信されたシグナリングに基づいてＨＳ−ＰＤＳＣＨを処理して、ＵＥに送信されたトランスポートブロックを回復する。トランスポートブロックが正しく復号された場合、ＵＥはＨＳ−ＤＰＣＣＨ上で肯定応答（ＡＣＫ）を送信し、そうでない場合は、否定応答（ＮＡＫ）を送信する。ＵＥはまた、受信された信号品質を推定して、ＨＳ−ＤＰＣＣＨ上でＡＣＫまたはＮＡＫと共にＣＱＩを送信する。ＨＳ−ＤＰＣＣＨ上のフィードバック伝送は、ＨＳ−ＰＤＳＣＨ上の対応するデータ伝送の終りからおよそ７．５個のスロットだけ遅延される。
【００３１】
ＵＥからＮＡＫが受信された場合、ノードＢはトランスポートブロックの再伝送を送信することができ、ＡＣＫが受信された場合、もう１つのトランスポートブロックに関して新しい伝送を送信することができる。ノードＢはＨＳ−ＳＣＣＨ上でシグナリングを送信し、ＨＳ−ＰＤＳＣＨ上で再伝送または新しい伝送を送信する。シグナリングは、ＨＳ−ＰＤＳＣＨが再伝送を運ぶのか、または新しい伝送ならびにその他の情報を運ぶのかを示す。一般に、ノードＢは、トランスポートブロックに関して、新しい伝送と、必要な場合、１つまたは複数の再伝送とを送信することができる。ノードＢは、図４で示すように、インタレースされた方法で複数のトランスポートブロックを送信することが可能である。
【００３２】
図５は、ＨＳＤＰＡ内の複数のＵＥへのデータ伝送を示す。ノードＢは、各ＴＴＩ内でＨＳ−ＰＤＳＣＨ上のデータ伝送のためにＵＥをスケジュールする。ノードＢは、スケジュールされたＵＥのためにＨＳ−ＳＣＣＨ上でシグナリングを送信し、スケジュールされたＵＥのためにＨＳ−ＰＤＳＣＨ上で伝送を送信する。ＨＳ−ＰＤＳＣＨ上でデータを受信する可能性がある各ＵＥは、シグナリングがそのＵＥに送信されたかどうかを判定するためにＨＳ−ＳＣＣＨを処理する。スケジュールされた各ＵＥは、ＵＥに送信されたトランスポートブロックを回復するために、ＨＳ−ＰＤＳＣＨを処理する。スケジュールされた各ＵＥは、ＨＳ−ＤＰＣＣＨ上でＡＣＫ／ＮＡＫとＣＱＩフィードバックとを送信する。所与のＴＴＩ内にスケジュールされないＵＥは、ＨＳ−ＰＤＣＣＨ上で先の伝送のＡＣＫ／ＮＡＫと現在のＴＴＩに対するＣＱＩＥを送信することも可能である。
【００３３】
図５では、ボイスオーバインターネットプロトコル（ＶｏＩＰ）、ゲーミングなどのリアルタイムサービスに関して、ＨＳ−ＰＤＳＣＨ上の伝送とＨＳ−ＳＣＣＨ上のシグナリングとがべた塗りの陰影を用いて示される。ベストエフォート型など、その他のサービスに関して、ＨＳ−ＰＤＳＣＨ上の伝送と、ＨＳ−ＳＣＣＨ上のシグナリングとは斜めのハッシングを用いて示される。ＨＳ−ＰＤＳＣＨ上の各伝送は、ＨＳ−ＳＣＣＨ上の対応するシグナリングに関連づけられる。
【００３４】
ＨＳＤＰＡは、大量のデータのダウンロードに類似したアプリケーションのために設計および最適化される。ＨＳＤＰＡの設計で使用される多くのシミュレーション結果は、全バッファ（ｆｕｌｌ−ｂｕｆｆｅｒ）トラヒックモデルに基づいて生成された。この仮定は、比較的小さなパケットを生み出す可能性がある遅延に敏感な（ｄｅｌａｙ  ｓｅｎｓｉｔｉｖｅ）アプリケーション用の性能ではなく、セルスループットを最適化するＨＳＤＰＡ設計をもたらす。現在のＨＳＤＰＡ設計のいくつかの結論は、
１．ＨＳ−ＳＣＣＨは、表２に示されるように、シグナリングに関して多くのビットを運ぶ、
２．ＨＳ−ＳＣＣＨは、最適とは言えない方法で符号化および送信される、
３．ＨＳ−ＰＤＳＣＨは、いくつかのリアルタイムサービスに関して比較的大きなトランスポートブロックを運ぶ、
４．ＨＳ−ＤＰＣＣＨは、各ＵＥによって連続して送信される。
【００３５】
ＨＳ−ＳＣＣＨ上の大量のシグナリングは、（ａ）伝送ごとのベースで変更することが可能な、ＨＳ−ＰＤＳＣＨのために割り当てられたチャネライゼーションコードの柔軟な選択と、（ｂ）２４５個の可能なトランスポートブロックサイズからのトランスポートブロックサイズの柔軟な選択と、（ｃ）非同期ＩＲのための伝送および再伝送時間の柔軟な選択と、（ｄ）冗長バージョンの柔軟な選択と、（ｅ）変調の柔軟な選択とをサポートするために使用される。これらの柔軟な特徴のすべては、結果として、ＨＳ−ＳＣＣＨ上に大量のオーバヘッドをもたらす。
【００３６】
さらに、ＨＳ−ＳＣＣＨ上のシグナリングは、ＵＥ実施を簡素化するために、上で説明されたように、２つの部分に分割される。ＨＳ−ＰＤＳＣＨ伝送は、やはりＵＥ実施を簡素化するために、図４および図５で示されたように、ＨＳ−ＳＣＣＨ伝送に関連して遅延される。これらの特徴は両方とも最適とは言えず、ＨＳ−ＳＣＣＨによりオーバヘッドをさらに大きくさせる。
【００３７】
ＨＳ−ＰＤＳＣＨは、ＵＥのデータペイロードにより一致させるために異なるサイズのトランスポートブロックを運ぶことが可能である。ＨＳＤＰＡは、１３７ビットから２７、９５２ビットに及ぶトランスポートブロックサイズをサポートする。トランスポートブロックサイズは、変調方式（例えば、ＱＰＳＫまたは１６ＱＡＭ）と、ＨＳ−ＰＤＳＣＨ上の伝送のために使用されるチャネライゼーションコードの数とに依存する。異なる数のチャネライゼーションコードに対してトランスポートブロックサイズの異なるセットが利用可能である。例えば、ＨＳ−ＰＤＳＣＨ用に１つのチャネライゼーションコードが割り当てられている場合、１３７ビットから１８７１ビットに及ぶ１０３個のトランスポートブロックサイズが使用され得る。
【００３８】
小さなトランスポートブロックサイズは、あまりにも多くのチャネライゼーションコード空間を利用する可能性がある。割り当てられたチャネライゼーションコードセットを伝えるためのシグナリングの量を削減すると同時に、データに対して十分なコード空間粒度（ｃｏｄｅ  ｓｐａｃｅ  ｇｒａｎｕｌａｒｉｔｙ）を提供するため、１６の拡散率がＨＳ−ＰＤＳＣＨに関して使用される。拡散率のこの選択肢は、結果として、小さな効果のあるコードレートを有する、（全バッファトラヒックに関してほとんど使用されない）小さなトランスポートブロックサイズをもたらす。例えば、ＱＰＳＫの場合、１３７ビットから４４９ビットのすべてのトランスポートブロックサイズは、第１の伝送に関して１／２以下のコードレートを有する。ＶｏＩＰの場合、１２．２キロビット／秒（ｋｂｐｓ）のアダプティブマルチレート（ＡＭＲ）スピーチ用の全レート（ｆｕｌｌ−ｒａｔｅ）フレームは３１７ビットを含む。この全レートフレームのための典型的なトランスポートブロックサイズは、第１の伝送に関しておよそ１／３のコードレートを有する。この典型的なトランスポートブロックサイズの過剰能力は、結果として、低いコードレートをもたらし、これは、結果として、第１の伝送に関して全レートフレームにとって必要以上に多い無線リソースが使用されていることになる可能性がある。
【００３９】
ＨＳ−ＰＤＳＣＨ上でデータ伝送を受信する可能性がある各ＵＥは、ＨＳ−ＤＰＣＣＨ上でフィードバック情報（例えば、ＣＱＩ）を連続して送信する。フィードバック情報は、アップリンクオーバヘッドとより高いＵＥ電池消費とを犠牲にして、ダウンリンク上のデータ伝送性能を改善する。ＨＳ−ＰＤＳＣＨ上のデータ伝送のためのＵＥの柔軟なスケジューリングは、ＵＥがＨＳ−ＳＣＣＨを連続して監視して、ＨＳ−ＤＰＣＣＨ上で連続して送信することを要求する。
【００４０】
上で言及された理由により、リリース５およびリリース６におけるＨＳＤＰＡ設計は、全バッファトラヒックモデルに類似したアプリケーションのために優れた性能を提供するが、低スループットおよび／または遅延に敏感なデータのアプリケーションのためには不十分である。さらに、このＨＳＤＰＡ設計は、アップリンクオーバヘッドおよびＵＥ電池寿命など、連続するパケット接続性に関する課題を考慮しない。
【００４１】
１．割り当てられたパラメータを用いた伝送
一態様では、ノードＢは、伝送に先立ってＵＥに割り当てられた少なくとも１つのパラメータに基づいて、共有データチャネル（例えば、ＨＳ−ＤＳＣＨおよびＨＳ−ＰＤＳＣＨ）上でＵＥに伝送を送信する。ノードＢは、共有データチャネル上でＵＥに送信された伝送に関して、共有データチャネル（例えば、ＨＳ−ＳＣＣＨ）上でシグナリングを送信せず、これはオーバヘッドを大いに削減する可能性がある。ＵＥは、割り当てられたパラメータに基づいて共有データチャネルから受信された伝送を処理する。共有データチャネルは、トランスポートブロックすなわちデータパケットによって観測される異なる層でのチャネル（例えば、トランスポートチャネルおよび物理的チャネル）を備えてよい。例えば、ＨＳＤＰＡの場合、共有データチャネルは、ＨＳ−ＤＳＣＨおよびＨＳ−ＰＤＳＣＨを備えてよい。共有データチャネルは、その他の無線技術に関してその他のチャネルを備えてよい。
【００４２】
一般に、任意の数のパラメータと、任意のタイプのパラメータとがＵＥに割り当てられることが可能である。例えば、割り当てられたパラメータは、以下のいずれか１つのまたは任意の組合せを含んでよい。
【００４３】
１．チャネライゼーションコードパラメータ、
２．符号化パラメータおよび変調パラメータ、
３．ＨＡＲＱパラメータまたは再伝送パラメータ、および
４．伝送時間パラメータ。
【００４４】
チャネライゼーションコードパラメータは、ＵＥへの伝送に利用可能なチャネライゼーションコードおよび／または特定のチャネライゼーションコードの数を示すことが可能である。割り当てられたチャネライゼーションコードは、ＨＳ−ＰＤＳＣＨに関して利用可能な１６チップチャネライゼーションコードおよび／またはその他のチャネライゼーションコードのいずれかであってよい。例えば、ＵＥには１つの１６チップチャネライゼーションコードよりも少ないコード空間を占有する可能性がある、３２または６４の拡散率を有するチャネライゼーションコードが割り当てられることが可能である。ＵＥは、割り当てられたチャネライゼーションコードだけに関して共有データチャネルを処理することができ、その他のチャネライゼーションコードを無視することが可能である。
【００４５】
符号化パラメータと変調パラメータとは、データがどのように符号化および変調されるかを示すことができる。例えば、符号化パラメータと変調パラメータとは、ＵＥへの伝送のために利用可能な、１つまたは複数の変調方式（例えば、ＱＰＳＫおよび／または１６ＱＡＭ）、１つまたは複数のトランスポートブロックサイズ、１つまたは複数のコードレートなどを示すことができる。ＵＥは、割り当てられた符号化パラメータと変調パラメータとに基づいて、共有データチャネルを処理することが可能である。
【００４６】
ＨＡＲＱパラメータは、同期ＩＲが使用されるかどうか、トランスポートブロックのための冗長バージョンの系列、トランスポートブロックのための再伝送の数、トランスポートブロックのための連続した伝送間の最低時間間隔、ＡＣＫ／ＮＡＫフィードバック設定など、ＵＥへの再／伝送に適用可能なパラメータを示すことができる。トランスポートブロックのための冗長バージョンは、ノードＢとＵＥによって事前に知られている可能性がある特定の順序で送信され得る。例えば、第１の冗長バージョンは、トランスポートブロックのための第１の伝送内で送信されることが可能であり、第２の冗長バージョンは、第２の伝送内で送信されることが可能であり、第３の冗長バージョンは、第３の伝送内で送信されることが可能であるなどである。ＡＣＫ／ＮＡＫフィードバック設定は、ＡＣＫフィードバックおよびＮＡＫフィードバックの両方を送信するか、ＡＣＫフィードバックだけを送信するかなどを示すことができる。ＨＳ−ＳＣＣＨ上でシグナリングが送信されない場合、ＵＥは、（ａ）ＵＥに送信され、ＵＥによって誤って復号されたトランスポートブロック、（ｂ）もう１つのＵＥに送信されたトランスポートブロック、または（ｃ）いずれのＵＥにもトランスポートブロックは送信されなかったことに起因して復号誤りが生じるかどうかを示すことができない可能性がある。したがって、ＵＥは、そのトランスポートブロックに対していつＮＡＫを送信するかを知らない可能性がある。ＡＣＫフィードバックだけを送信することによって、もう１つのＵＥに送信されたトランスポートブロックに起因するＮＡＫに関して無関係のシグナリングが回避され得る。
【００４７】
伝送時間パラメータは、その中で、伝送がＵＥに送信され得る時間間隔、すなわち、ＴＴＩを示すことができる。周期的にデータを送信するアプリケーションの場合、割り当てられた時間間隔は、データの周期性（例えば、ＶｏＩＰに関して１０ｍｓごとまたは２０ｍｓごと）に基づいて決定され得る。ＵＥは、割り当てられた時間間隔の間だけ共有データチャネルを処理することができ、電池電力を保存するために、その他の期間は休止状態になることが可能である。
【００４８】
割り当てられたパラメータはまた、システム設計に依存する可能性がある、その他のタイプのパラメータを含んでもよい。例えば、ＯＦＤＭベースのシステムでは、割り当てられたパラメータは、ＵＥへの伝送に使用され得る１つまたは複数の特定の副搬送波を示すことができる。マルチプルインプットマルチプルアウトプット（ＭＩＭＯ）伝送をサポートするシステムでは、割り当てられたパラメータは、ＵＥに送信され得るデータ流れの数、ＵＥへの伝送のために使用され得る１つまたは複数の前置符号化行列（ｐｒｅｃｏｄｉｎｇ  ｍａｔｒｉｃｅｓ）などを示すことができる。
【００４９】
共有データチャネルは、トランスポートチャネルおよび物理的チャネル（例えば、ＨＳ−ＤＳＣＨおよびＨＳ−ＰＤＳＣＨ）を備えてよい。いくつかのパラメータ（例えば、符号化パラメータ）は、共有データチャネルのトランスポートチャネル部分に適用可能であり得ると同時に、その他のパラメータ（例えば、変調パラメータおよびチャネライゼーションコードパラメータ）は、共有データチャネルの物理的チャネル部分に適用可能であり得る。
【００５０】
一態様では、１つまたは複数の伝送形式がＵＥに対して定義および割り当てられることが可能である。各伝送形式は、伝送に使用するために１つまたは複数の特定のパラメータに関連づけられることが可能である。例えば、伝送形式は、１つまたは複数のチャネライゼーションコードの特定のセット、特定の変調方式、特定のコードレートまたはトランスポートブロックサイズなどに関連づけられることが可能である。ノードＢは、ＵＥに割り当てられた（１つまたは複数の）伝送形式のうちの１つに基づいて伝送を送信することができる。ＵＥに複数の伝送形式が割り当てられる場合、ノードＢはＵＥに送信される各伝送に関して伝送形式のうちの任意の１つを使用することができる。
【００５１】
一般に、パラメータは、例えば、ブロックサイズ、コードレート、変調方式、ＨＡＲＱパラメータ、時間間隔など、データ伝送に関連する任意のものに関する可能性がある。伝送形式は、１つまたは複数の特定のパラメータ（例えば、ブロックサイズおよび変調方式）に関連づけられることが可能であり、パラメータを伝えるための便利な機構であり得る。
【００５２】
一般に、割り当てられたパラメータは、任意の無線通信システム内の任意の共有データチャネルのために使用されることが可能である。割り当てられたパラメータは、ＨＳ−ＳＣＣＨ上でシグナリングを送信するのを回避する目的でＨＳＤＰＡのために使用されることが可能である。ＨＳ−ＤＳＣＨのための新しいサブフレーム形式または伝送モードは、以下の特徴のうちの１つまたは複数により定義され得る。
【００５３】
１．シグナリングはＨＳ−ＳＣＣＨ上で送信されない、
２．１つまたは複数の特定のチャネライゼーションコードがＵＥへの伝送のために利用可能である、
３．１つまたは複数の特定の変調方式が伝送のために使用可能である、
４．１つまたは複数の特定のトランスポートブロックサイズが伝送のために使用可能である、
５．ＨＡＲＱは、所定の数の再伝送と冗長性バージョンの所定の系列とにより同期ＩＲに設定される、
６．ＵＥ特定のＣＲＣがＨＳ−ＰＤＳＣＨ上で送信される各トランスポートブロックに使用される。
【００５４】
パラメータのうちのいくつかは固定されることが可能であると同時に、その他のパラメータは構成可能であり得る。一態様では、チャネライゼーションコードとトランスポートブロックサイズとは構成可能なパラメータであり、その他のパラメータは固定される。例えば、変調方式はＱＰＳＫで固定されることが可能であり、再伝送の数は２で固定されることが可能であり、冗長バージョンの系列は固定されることが可能であるなどである。固定されたパラメータは、ノードＢとＵＥとによって事前に知られる。構成可能なパラメータは、呼の開始時に決定されることが可能であり、かつ呼の間に変更されることが可能である。
【００５５】
１つまたは複数の伝送形式がＵＥのために定義され得る。例えば、伝送形式は、以下により定義されることが可能である。
【００５６】
１．ＨＳ−ＰＤＳＣＨのための特定のチャネライゼーションコード、
２．特定の変調方式（例えば、ＱＰＳＫ）、
３．特定のトランスポートブロックサイズ、
４．ＨＡＲＱは、２つの再伝送と冗長バージョンの所定の系列とにより同期ＩＲに設定される、
５．ＵＥ特定のＣＲＣ。
【００５７】
異なるパラメータを有する複数の伝送形式がＵＥのために定義され得る。例えば、２つの伝送形式は、２つの異なるトランスポートブロックサイズと同じチャネライゼーションコード、変調方式などに関して定義され得る。一般に、伝送形式は、任意の数のパラメータと任意のタイプのパラメータとに関連づけられることが可能である。
【００５８】
ＨＳ−ＳＣＣＨ上でシグナリングを経由して伝えられるパラメータは、このように、伝送に先立って固定または構成／割り当てられることが可能である。一設計では、ＨＳ−ＳＣＣＨ上でシグナリングを経由して伝えられるパラメータのすべては、表２の最後の列内に示されるように処理されることが可能である。この設計では、ＨＳ−ＳＣＣＨ上のシグナリングが不要であるように、パラメータのすべてが固定または構成／割り当てられる。この設計では、単一のチャネライゼーションコードと、２つのトランスポートブロックサイズとがＵＥへの伝送のために利用可能である。２つのトランスポートブロックサイズは、呼に関するデータ要件に基づいて選択され得る。例として、ＶｏＩＰ呼の場合、３５３ビットのトランスポートブロックサイズが１２．２Ｋｂｐｓ  ＡＭＲ−ＮＢスピーチフレームまたは１２．６Ｋｂｐｓ  ＡＭＲ−ＷＢスピーチフレームに関して使用されることが可能である。１６１ビットのトランスポートブロックサイズがＡＭＲ−ＮＢまたはＡＭＲ−ＷＢ無音記述子（ｓｉｌｅｎｃｅ  ｄｅｓｃｒｉｐｔｏｒ）（ＳＩＤ）フレームに関して使用されることが可能である。その他のトランスポートブロックサイズおよび／または異なる数のトランスポートブロックサイズが使用されることも可能である。
【００５９】
一態様では、ＵＥにはＨＳ−ＰＤＳＣＨのために利用可能なチャネライゼーションコードのうちの１つまたは複数のチャネライゼーションコードが割り当てられることが可能である。もう１つの態様では、ＵＥには１６より大きな拡散率を有するチャネライゼーションコードが割り当てられることが可能である。ＵＥは、次いで、共有データチャネルのための最短のチャネライゼーションコードより長いチャネライゼーションコードを用いて、受信された伝送を逆拡散することができる。より大きな拡散率は、コード空間割当て内の粒度を削減し、チャネライゼーションコード利用を改善することが可能である。例えば、小さなデータペイロードサイズを有するＵＥ（例えば、ＶｏＩＰまたはゲーミング）には、３２の拡散率を有するチャネライゼーションコードが割り当てられることが可能であり、その場合、コード空間の半分を占有することが可能である。このＳＦ＝３２チャネライゼーションコードにより送信された伝送は、ＳＦ＝１６チャネライゼーションコードにより送信された比較可能な伝送より２倍高いコードレートを有する可能性がある。ＨＡＲＱは、より低いコードレートを要求するトランスポートブロックのために再伝送を送信することによって、より高いコードレートを補うことができる。しかももう１つの態様では、ＵＥには（所定の方法で経時的に変化することが可能な）時間変化する（ｔｉｍｅ  ｖａｒｙｉｎｇ）チャネライゼーションコードまたは異なる時間間隔内で異なるチャネライゼーションコードが割り当てられる。
【００６０】
ＵＥに関して割り当てられたパラメータは、１つまたは複数の伝送形式および／またはいくつかのその他の方法によって与えられることが可能である。割り当てられたパラメータは、呼の開始時に呼セットアップの間にＵＥのために決定されることが可能であり、呼の要件に基づくことが可能である。例えば、割り当てられたトランスポートブロックサイズは、データ要件に基づいて選択されることが可能であり、割り当てられた時間間隔は、呼の種類（例えば、ＶｏＩＰまたはゲーミング）などに基づいて選択され得る。割り当てられたパラメータは、データ要件の変化、システムローディングなど、様々な理由により、呼の間に修正されることも可能である。割り当てられたパラメータへの変更は、システムによってサポートされる再構成機構を経由して処理されることが可能である。割り当てられたパラメータは、このように、静的であってよく、または半静的であってもよく、各ＵＥに対して構成可能であってよい。割り当てられたパラメータは、割り当てられたパラメータを使用した共有データチャネル上の伝送に先立って、上層シグナリングを経由してまたはいくつかのその他の手段によって各ＵＥに送信されることが可能である。例えば、割り当てられたパラメータは、Ｗ−ＣＤＭＡ内のレイヤ３無線ベアラセットアップメッセージを使用して呼セットアップ時に、または無線ベアラ再構成セットアップを使用して再構成の間に送信され得る。
【００６１】
図６は、割り当てられたパラメータを用いたＨＳ−ＤＳＣＨ上のデータ伝送を示す。ＵＥは、その受信された信号品質を周期的に推定して、ＨＳ−ＤＰＣＣＨ上でＣＱＩを送信する。ノードＢは、ＵＥに送信するデータを有し、ダウンリンク伝送のためにＵＥをスケジュールする。ノードＢは、割り当てられたパラメータ（例えば、割り当てられた伝送形式）に基づいて、トランスポートブロックを処理する。ノードＢは、ＨＳ−ＳＣＣＨ上でシグナリングを送信せず、ＨＳ−ＰＤＳＣＨ上でトランスポートブロックの第１の伝送をＵＥに送信する。ＵＥは、割り当てられたパラメータに基づいてＨＳ−ＰＤＳＣＨを処理して、ＵＥに送信されたトランスポートブロックを回復する。トランスポートブロックが正しく復号された場合、ＵＥはＨＳ−ＤＰＣＣＨ上でＡＣＫを送信し、そうでない場合は、何も送信しなくてよい。ＵＥはまた、受信された信号品質を推定して、ＨＳ−ＤＰＣＣＨ上でＡＣＫと共に／何も伴わずＣＱＩを送信する。ＵＥから何も受信されない場合、ノードＢは再伝送を送信することができ、ＡＣＫが受信された場合、もう１つのトランスポートブロックのために新しい伝送を送信することができる。ノードＢは、ＨＳ−ＳＣＣＨ上で任意のシグナリングなしで再伝送および新しい伝送を送信する。
【００６２】
図７は、割り当てられたパラメータを用いた複数のＵＥへのデータ伝送を示す。ノードＢは、ＨＳ−ＰＤＳＣＨ上で（べた塗りの陰影により示される）割り当てられたパラメータを用いてＵＥに伝送を送信すると同様に、（斜めのハッシングにより示される）割り当てられたパラメータなしでＵＥに伝送を送信する。ノードＢは、ＨＳ−ＳＣＣＨ上で、斜めのハッシングにより示される、割り当てられたパラメータなしでのみＵＥに対してシグナリングを送信する。ノードＢは、割り当てられたパラメータを用いてＵＥにシグナリングを送信しない。図５および図７が示すように、多量の無線リソースが、割り当てられたパラメータを用いてＵＥにシグナリングを送信しないことによって節約され得る。
【００６３】
図８は、図２のノードＢ１１０でのＴＸデータプロセッサ２１０および変調器２２０の設計のブロック図を示す。明確にするために、図８は、１つのＵＥのためにＨＳ−ＰＤＳＣＨ上で伝送を生成するための処理装置を示す。
【００６４】
ＴＸデータプロセッサ２１０内で、ＣＲＣジェネレータ８１０はトランスポートブロックのためにＣＲＣを生成する。スクランブラ８１２は、受信者ＵＥ用のＵＥ識別子（ＵＥ  ＩＤ）に基づいて、トランスポートブロック、ＣＲＣ、またはトランスポートブロックとＣＲＣの両方をスクランブルすることが可能である。このＵＥ  ＩＤは、ＭＡＣ  ＩＤであってよく、または受信者ＵＥを独自に識別することが可能な、いくつかのその他のタイプのＩＤであってもよい。ＵＥ特定のＣＲＣは、このＣＲＣを受信者ＵＥに特定にする様々な方法で生成されることが可能である。例えば、ＣＲＣは、通常の方法で生成されることが可能であり、次いで、ＣＲＣはＵＥに特定にされることが可能である。これは、計算されたＣＲＣとＵＥ  ＩＤの間で排他的ＯＲ（ＸＯＲ）演算を実行することによって達成され得る。一般に、ＵＥ特定のスクランブリングは、伝送のすべてまたは任意の部分に関して、および送信処理通路に沿った任意の部分に関しても実行されることが可能である。
【００６５】
符号器８１４は、符号化方式に基づいて、スクランブルされたブロックを符号化して、選択されたトランスポートブロックサイズを有する符号化されたブロックを提供する。コントローラ２４０は、ＵＥから受信されたＣＱＩ、ＵＥに割り当てられたトランスポートブロックサイズなどに基づいてトランスポートブロックサイズを選択することができる。ＨＡＲＱ装置８１６は、符号化されたブロックを複数の冗長バージョンに区分化する。各伝送に関して、ＨＡＲＱ装置８１６は、コントローラ２４０からのＨＡＲＱ制御に基づいてどの冗長バージョンを送信するかを決定して、選択された冗長バージョンを提供する。チャネルインタリーバ８１８は、選択された冗長バージョン内でコードビットをインタリーブする（またはリオーダする（ｒｅｏｒｄｅｒｓ））。記号マッパ８２０は、ＵＥのために選択された変調方式に基づいて、インタリーブされたビットをデータ記号にマップする。割り当てられたパラメータを使用する場合、この変調方式は（例えば、ＱＰＳＫに）固定され得る。
【００６６】
変調器２２０内で、拡散器（ｓｐｒｅａｄｅｒ）８２０は、ＵＥに割り当てられたチャネライゼーションコードに基づいてデータ記号を拡散して、データチップを提供する。データチップはさらに処理されて、ＵＥに送信される。コントローラ／プロセッサ２４０は、ＵＥからフィードバック（例えば、ＡＣＫ／ＮＡＫ／無、ＣＱＩなど）を受信することが可能であり、ＵＥに送信された各伝送に関して、様々なパラメータ（例えば、ＵＥ  ＩＤ、トランスポートブロックサイズ、ＨＡＲＱ制御、変調方式、チャネライゼーションコードなど）を提供することができる。
【００６７】
図９は、図２内のＵＥ１２０での復調器２６０およびＲＸデータプロセッサ２７０の設計のブロック図を示す。復調器２６０内で、逆拡散器（ｄｅｓｐｒｅａｄｅｒ）９１０は、ＵＥに割り当てられたチャネライゼーションコードに基づいて、受信された伝送に関して受信されたサンプルを逆拡散して、記号バッファ９１２とＨＡＲＱコンバイナ９１４とに逆拡散記号を提供する。バッファ９１２は、将来の伝送との可能な組合せのために逆拡散記号を記憶する。ＨＡＲＱコンバイナ９１４は、（ａ）組合せなしに逆拡散器９１０から現在の伝送向けの逆拡散記号を渡すこと、または（ｂ）コントローラ２８０からのＨＡＲＱ制御に基づいて、現在の伝送向けの逆拡散記号を１つまたは複数の先の伝送向けの逆拡散記号と組み合わせることができる。
【００６８】
ＲＸデータプロセッサ２７０内で、記号デマッパ９２０は、選択された変調方式に基づいて、ＨＡＲＱコンバイナ９１４からの逆拡散記号をデマップする。例えば、記号デマッパ９２０は、逆拡散記号のコードビットに関して対数尤度比（ｌｏｇ−ｌｉｋｅｌｉｈｏｏｄ  ｒａｔｉｏｓ）（ＬＬＲ）を提供することができる。チャネルディインタリーバ９２２は、図８でチャネルインタリーバ８１８によって実行されたインタリービングに対して相補的な方法でディインタリービングを実行する。復号器９２４は、トランスポートブロックサイズに基づいて、ディインタリーバ９２２のアウトプットを復号して、復号されたトランスポートブロックを提供する。
【００６９】
ノードＢがトランスポートブロックに関してＣＲＣをスクランブルする場合、ＣＲＣジェネレータ９２６は、復号されたトランスポートブロックに関してＣＲＣを生成し、ディスクランブラ９２８は、図９に示されるように、受信されたＣＲＣをディスクランブルする。ノードＢがトランスポートブロックをスクランブルする場合、ディスクランブラ９２８は、復号されたトランスポートブロックをディスクランブルし、ＣＲＣジェネレータ９２６は、ディスクランブルされたトランスポートブロックに関してＣＲＣ（図９に図示せず）を生成する。いずれの場合も、検出器９３０は、局所的に生成されたＣＲＣを受信またはディスクランブルされたＣＲＣに対して比較して、比較結果に基づいて、トランスポートブロックが正しく復号されたか、または間違って復号されたかを判定する。一般に、ＵＥでのＵＥ特定のディスクランブリングは、ノードＢでのＵＥ特定のスクランブリングに対して相補的な方法で実行される。コントローラ／プロセッサ２８０は、ＵＥによって処理される各伝送に関して、様々なパラメータ（例えば、チャネライゼーションコード、ＨＡＲＱ制御、変調方式、トランスポートブロックサイズ、ＵＥ  ＩＤなど）を提供することが可能である。
【００７０】
ＵＥは、割り当てられたパラメータに基づいて受信された伝送に関して、盲目的復号（ｂｌｉｎｄ  ｄｅｃｏｄｉｎｇ）を実行することができる。ＵＥは、トランスポートブロックが正しく復号されるまで、またはすべての仮説が評価されるまで、各可能な仮説に関して受信された伝送を処理することが可能である。仮説の数は、ＵＥで知られていない因数に依存する。例えば、２つのトランスポートブロックサイズが伝送のために使用され得る場合、ＵＥは、２つのトランスポートブロックサイズの各々に関して受信された伝送を復号することができる。さらに、トランスポートブロックに関して最高で２つまでの再送信が送信され得る場合、およびＵＥがＨＡＲＱ情報を有さない場合、ＵＥは、第１の伝送、第２の伝送、および第３の伝送である、受信された伝送に対応する３つの仮説に関して受信された伝送を処理することができる。この例では、ＵＥは、２つの可能なトランスポートブロックサイズと３つの伝送可能性とを網羅する、最高で６つまでの仮説に関して盲目的復号を実行することが可能である。
【００７１】
ＵＥは、各仮説の発生可能性に基づいて選択され得る、順次の順序で仮説を評価することができる。例えば、ＵＥは、先の伝送が正しく復号された場合は新しい伝送として、先の伝送が誤って復号された場合は再伝送として、受信された伝送を処理することが可能である。ＵＥはまた、最も可能性が高いトランスポートブロックサイズに関して復号を実行し、次いで、次に最も可能性が高いトランスポートブロックサイズに関して復号を実行することなども可能である。例えば、ＵＥに２つのトランスポートブロックサイズが割り当てられ、より大きなトランスポートブロックサイズがより小さなトランスポートブロックサイズよりも頻繁に使用される場合、ＵＥはより小さいトランスポートブロックサイズに関して復号を実行する前に、より大きなトランスポートブロックサイズに関して復号を実行することができる。
【００７２】
図１０は、シグナリングなしのデータ伝送のためにノードＢによって実行されプロセス１０００を示す。ノードＢは、少なくとも１つのパラメータをＵＥに割り当てる（ブロック１０１２）。少なくとも１つのパラメータは、チャネライゼーションコード、ブロックサイズ、変調方式、伝送形式、再伝送パラメータ、時間間隔などのうちの少なくとも１つを備えてよい。例えば、少なくとも１つのパラメータは、ＵＥへの伝送のために使用可能な複数の伝送形式（例えば、複数のトランスポートブロックサイズ）を備えてよい。少なくとも１つのパラメータは、ＵＥのために無線ベアラをセットアップするための呼の開始時に呼セットアップの間、ＵＥのために無線ベアラを変更するための再構成の間などに、割り当てられることが可能である。ノードＢは、少なくとも１つの割り当てられたパラメータをＵＥに送信する（ブロック１０１４）。ノードＢは、その後、少なくとも１つの割り当てられたパラメータに基づいてＵＥのために伝送を処理する（ブロック１０１６）。ノードＢは、ＵＥ用の識別子を用いて伝送のうちのすべてまたは一部をスクランブルすることができる。ノードＢは、少なくとも１つの割り当てられたパラメータに基づいて、ＵＥによる処理のために複数のＵＥによって共有されるデータチャネル上で伝送を送信する（ブロック１０１８）。ノードＢは、ＵＥに割り当てられた時間間隔内で伝送を送信することができる。ノードＢは、共有データチャネル上の伝送に対応するダウンリンク制御情報／シグナリングの伝送を不可能にすることができる。
【００７３】
図１１は、シグナリングなしのデータ受信のためにＵＥによって実行されるプロセス１１００を示す。ＵＥは、例えば、呼セットアップ、再構成などの間に、ＵＥに割り当てられた少なくとも１つのパラメータを受信する（ブロック１１１２）。少なくとも１つのパラメータは、上に列挙されたパラメータのうちのいずれかを備えてよい。ＵＥはその後、複数のＵＥによって共有されるデータチャネル上で伝送を受信する（ブロック１１１４）。ＵＥは、伝送を受信するのに先立って、ＵＥに割り当てられた少なくとも１つのパラメータに基づいて受信された伝送を処理する（ブロック１１１６）。受信された伝送は、１つまたは複数のデータパケット（すなわちトランスポートブロック）を備えてよい。
【００７４】
ブロック１１１６内のＵＥによる処理は、受信された伝送のために利用可能な異なる伝送形式（例えば、異なるブロックトランスポートブロックサイズ）に基づいて受信された伝送を処理すること／復号することを含んでよい。ＵＥは、一度に１つの伝送を選択して、選択された伝送形式に基づいて受信された伝送を処理し、受信された伝送が正しく復号された場合、当該伝送の処理を終了し、正しく復号されない場合、もう１つの伝送に関する処理を繰り返すことができる。
【００７５】
ＨＡＲＱが使用される場合、ＵＥは、例えば、先の伝送に関する復号結果、受信された伝送と先の伝送の間の時間量、許可された再伝送の数などに基づいて、受信された伝送が新しい伝送であるか、または再伝送であるかなどを決定することが可能である。ＵＥはまず、復号されたパケットを取得するために、受信された伝送を新しい伝送として処理することができ、復号されたパケットが誤っている場合、受信された伝送を再送信として処理することができる。あるいは、ＵＥはまず、復号されたパケットを取得するために、受信された伝送を再伝送として処理することができ、復号されたパケットが誤っている場合、受信された伝送を新しい伝送として処理することができる。いずれの場合も、ＵＥは、受信された伝送に先立って送信された異なる数の伝送、異なるトランスポートブロックサイズなどに対応する異なる仮説に関して受信された伝送を処理することが可能である。
【００７６】
ブロック１１１６内の処理はまた、ＵＥが受信された伝送の対象受信者であるかどうかを決定することを含むことも可能である。この決定は、ＵＥ用の識別子を用いて受信された伝送を検査することによって、例えば、受信された伝送に関してＣＲＣを生成すること、ＵＥ識別子を用いて受信されたＣＲＣをディスクランブルすること、およびディスクランブルされたＣＲＣを局所的に生成されたＣＲＣと比較することによって達成され得る。この決定はまた、ＵＥ識別子を用いて受信された伝送をディスクランブルすることによって達成することも可能である。
【００７７】
ＵＥは共有データチャネル上で追加の伝送を受信することができ、ＵＥに割り当てられた少なくとも１つのパラメータに基づいて、各追加の受信された伝送を類似の方法で処理することができる。ＵＥは、共有データチャネル上で伝送を不連続的に受信することが可能である。
【００７８】
２．割り当てられた時間間隔を用いた伝送
一態様では、ノードＢは、伝送に先立ってＵＥに割り当てられた時間間隔内で共有データチャネル（例えば、ＨＳ−ＤＳＣＨ）上でＵＥに伝送を送信する。ノードＢは、割り当てられていない時間間隔内ではなく、割り当てられた時間間隔内でＵＥにデータを送信する。この場合、ＵＥは、割り当てられた時間の間に共有データチャネルを処理することができ、その他の時間は休止状態になることができる。
【００７９】
一態様では、ＵＥに割り当てられた時間間隔はパターンに基づいて決定される。このパターンは、間欠受信（ｄｉｓｃｏｎｔｉｎｕｏｕｓ  ｒｅｃｅｐｔｉｏｎ）（ＤＲＸ）パターン、繰返しパターンなどと呼ばれる場合もある。パターンは、Ｎ個の時間間隔の所定の期間に及び、一般に、Ｎ＞１である。時間間隔はＴＴＩ、サブフレーム、またはいくつかのその他の時間単位に対応し得る。パターンは、パターンによって補われるＮ個の時間間隔の中から個々に選択され得る１つまたは複数の時間間隔を含む。したがって、Ｎ個の時間間隔のうちの任意の１つが選択されて、パターン内に包括されることが可能である。パターンは、特定の時刻（例えば、ＳＦＮ＝０での無線フレームの開始）で開始して、連続的に／永続的に繰り返すことが可能である。
【００８０】
一般に、同じまたは異なる期間／長さのパターンが異なるＵＥに割り当てられることが可能である。データ伝送のために利用可能な時間間隔のすべてを通して一様にＵＥを分布するために、異なる時間間隔を含むパターンが、異なるＵＥに割り当てられることが可能である。ＵＥに割り当てるためのパターンと特定の時間間隔とは、呼のタイプ、データ要件、システムローディングなどに基づいて決定され得る。例えば、ＶｏＩＰ呼のために割り当てられた時間間隔は、１０ｍｓまたは２０ｍｓだけ間隔が空けられることができる。また、潜在的により多くのデータにより多くの時間間隔が割り当てられることが可能であり、潜在的により大きなＵＥ電池電力節約のためにより少ない時間間隔が割り当てられることが可能である。ＵＥ用のパターンは、呼セットアップで決定されることができ、上層シグナリングを経由してまたはいくつかのその他の手段を介してＵＥに送信され得る。ＵＥ用のパターンはまた、呼の間に変更されて、再構成メッセージまたはいくつかのその他の手段を介して送信されることも可能である。
【００８１】
図１２は、ＡからＦの６個のＵＥのための例示的なパターンを示す。この例では、ＵＥ用のパターンは、０から１１の指数が与えられた１２個のサブフレームすなわちＴＴＩの同じ長さを有する。各サブフレームは１つの時間間隔に対応する。ＵＥ  ＡおよびＣのためのパターンはサブフレーム０、３、６、および９を含み、ＵＥ  Ｂのためのパターンはサブフレーム２、５、８、および１１を含み、ＵＥ  Ｄのためのパターンはサブフレーム１および４を含み、ＵＥ  Ｅのためのパターンはサブフレーム４および７を含み、ＵＥ  Ｆのためのパターンはサブフレーム０、２、４、６、８、および１０を含む。パターンは２４ｍｓごとに繰り返し、パターンの１つの繰返しは２４ｍｓに及ぶ。
【００８２】
図１２に示された例では、ＵＥ  ＡおよびＣには、ＨＳ−ＰＳＤＣＨのためのチャネライゼーションコード１が割り当てられ、ＵＥ  ＢおよびＥには、チャネライゼーションコード２が割り当てられ、ＵＥ  ＤおよびＦにはチャネラーゼーションコード３が割り当てられる。伝送は、ｘ∈｛Ａ，Ｂ，．．．，Ｆ｝の場合、「ｘ」と印された系列のうちの１つの中で、ＵＥｘに割り当てられたチャネライゼーションコードを使用して、ＵＥｘに送信されることが可能である。
【００８３】
ＵＥは、割り当てられたパターンに基づいて、ＵＥに対して可能な伝送についてＨＳ−ＤＳＣＨを不連続的に監視することができる。ＵＥは、その中でＵＥは断続的にだけアクティブであるが、完全にアクティブなサブ状態に速やかに切り替わることが可能な、接続されたサブ状態（ｓｕｂｓｔａｔｅ）で動作することが可能である。一態様では、ＨＳ−ＤＳＣＨ上の伝送の受信は、接続されたサブ状態から変更をトリガしない。接続されたサブ状態からの変更は、例えば、上層シグナリングメッセージを経由して、達成され得る。ＵＥはまた、ＤＲＸパターンに基づいて選択され得る間欠伝送（ｄｉｓｃｏｎｔｉｎｕｏｕｓ  ｔｒａｎｓｍｉｓｓｉｏｎ）（ＤＴＸ）パターンに従って、ＨＳ−ＤＰＣＣＨ上でフィードバックを不連続的に送信することも可能である。
【００８４】
図１３Ａは、図１２内でこのＵＥに割り当てられたパターンを使用した、ＵＥ  Ａのための例示的な伝送を示す。この例では、トランスポートブロック１はサブフレーム０内で送信されて、サブフレーム３内で再送信される。サブフレーム６内では伝送は送信されない。トランスポートブロック２はサブフレーム９内で送信され、再送信されない。トランスポートブロック３は、次のパターン繰返しのサブフレーム０内で送信される。各割り当てられたサブフレーム内で、シグナリングがＨＳ−ＳＣＣＨに送信されない場合、ＵＥ  Ａは新しい送信および／または再送信のために盲目的に復号することが可能である。
【００８５】
図１３Ｂは、図１２内でこのＵＥに割り当てられたパターンを使用した、ＵＥ  Ｄのための例示的な伝送を示す。この例では、サブフレーム１内ではＵＥ  Ｄに伝送は送信されない。トランスポートブロック１はサブフレーム４内で送信され、次のパターン繰返しのサブフレーム１内で再送信される。
【００８６】
図１３Ｃは、図１２内でこのＵＥに割り当てられたパターンを使用した、ＵＥ  Ｆのための例示的な伝送を示す。この例で、再送信は、先の伝送の終了後に少なくとも２個のサブフレームだけ送信されることが可能である。サブフレーム０内ではＵＥ  Ｆに伝送は送信されない。トランスポートブロック１はサブフレーム２内で送信され、トランスポートブロック１はサブフレーム２内の先の伝送から２個のサブレーム未満であるため、サブフレーム４内で再送信されず、代わりにサブフレーム６内で再送信される。サブフレーム８内では伝送は送信されない。トランスポートブロック２はサブフレーム１０内で送信されて、再送信されない。
【００８７】
複数のＵＥに同じ時間間隔、ならびに同じチャネライゼーションコードが割り当てられることが可能である。例えば、図１２内のＵＥ  ＡおよびＣには、同じサブフレームとチャネライゼーションコード１とが割り当てられる。この場合、伝送は時間間隔内でもう１つのＵＥにも割り当てられたチャネライゼーションコードを用いて、１つのＵＥに送信され得る。各ＵＥは、伝送がそのＵＥを対象とするかどうかを決定するために、伝送に関してＵＥ特定のＣＲＣを検査することができる。各ＵＥは、将来の伝送と組み合わせて可能なＨＡＲＱのためにその割り当てられた時間間隔に関して受信されたサンプルを記録することが可能である。各ＵＥは、異なる仮説、例えば、（ＨＡＲＱの組合せなしに）第１の伝送である現在の伝送に関して１つの仮説、第２の伝送である（したがって、１つの過去の伝送と組み合わせて）現在の伝送に関してもう１つの仮説、第３の伝送である（したがって、２つの過去の伝送と組み合わせて）現在の伝送に関してもう１つの仮説などを評価することによって所与の時間間隔内で伝送を回復することを試みることができる。
【００８８】
図１２で示された例では、各ＵＥにはＨＳ−ＰＤＳＣＨのために１つのチャネライゼーションコードが割り当てられる。一般に、ＵＥは、任意の数のチャネライゼーションコードと、ＨＳ−ＰＤＳＣＨのために利用可能なチャネライゼーションコードのうちの任意の１つとが割り当てられることが可能である。一態様では、（１つまたは複数の）同じチャネライゼーションコードが、例えば、図１２に示されるように、ＵＥに割り当てられたすべての時間間隔に関して割り当てられ、利用されることが可能である。もう１つの態様では、異なる時間間隔での使用のために異なるチャネライゼーションコードが割り当てられることが可能である。例えば、サブフレーム４に関してコードドメイン内のＵＥ  Ｄとの衝突を回避するために、ＵＥ  Ｆはこのサブフレーム内でチャネライゼーションコード１を割り当てられることが可能である。ＵＥには、そのＵＥ用のパターン内に含まれた各サブフレームに関して独立してチャネライゼーションコードを割り当てられることが可能である。
【００８９】
一態様では、伝送は、ＨＳ−ＳＣＣＨ上で送信されたシグナリングを用いてその割り当てられた時間間隔内でＵＥに送信される。ＵＥは、割り当てられた時間間隔内でＨＳ−ＳＣＣＨを処理して、任意の伝送がＨＳ−ＰＤＳＣＨ上でＵＥに送信されたかどうかを決定することができる。シグナリングがＵＥ向けの伝送を示す場合、ＵＥはＨＳ−ＳＣＣＨから受信したシグナリングに基づいてＨＳ−ＰＤＳＣＨを処理することができる。そうでない場合、シグナリングがＵＥ向けの伝送を示さない場合、ＵＥはＨＳ−ＰＤＳＣＨを処理せずに休止状態になることができる。
【００９０】
もう１つの態様では、伝送は、ＨＳ−ＳＣＣＨ上でのシグナリングなしでその割り当てられた時間間隔内でＵＥに送信される。この場合、ノードＢは、上で説明されたように、ＵＥに割り当たられたパラメータを使用して、割り当てられた時間間隔内で伝送をＵＥに送信することが可能である。ＵＥは、やはり上で説明されたように、割り当てられたパラメータに基づいて、各割り当てられた時間間隔内でＨＳ−ＰＤＳＣＨの盲目的復号を実行することができる。
【００９１】
一態様では、ＨＡＲＱの組合せは、例えば、図１３Ｂで示されるように、パターンの異なる繰返しに渡って許可される。もう１つの態様では、ＨＡＲＱの組合せは、パターンの異なる繰返しに渡って許可されない。例えば、ＵＥ  Ｆに関して、図１２内の第１のパターン繰返しのサブフレーム１０内の伝送は、次のパターン繰返しのサブフレーム０内の伝送と組み合わされない。新しい伝送と再伝送とがパターンの異なる繰返しの際に送信されないように、このＨＡＲＱ制約は、トランスポートブロックのすべての伝送をパターンの１つに繰返しの際に制限する。ＵＥはＨＡＲＱのための同期機構としてパターンの開始を使用することが可能であるため、このＨＡＲＱ制約は復号の複雑さを削減することができる。パターンの１つの繰返しの終了によって正しく復号されないトランスポートブロックは、パターンの次の繰返しの際に新たに送信されることが可能である。
【００９２】
図１４は、割り当てられた時間間隔を用いてデータ伝送のためにノードＢによって実行されるプロセス１４００を示す。ノードＢは、個々に選択された時間間隔によって与えられることが可能な、ＵＥへのデータ伝送のために使用可能な時間間隔の割当てを送信する（ブロック１４１２）。割り当てられた時間間隔は、ＵＥへのデータパケット（すなわち、トランスポートブロック）の伝送または再伝送のために使用され得る。所与の時間間隔内で伝送がこの時間間隔内を割り当てられたＵＥのうちの任意の１つに送信され得るように、このＵＥに関して割り当てられた時間間隔はその他のＵＥに割り当てられることも可能である。ノードＢは、複数のＵＥによって共有されるデータチャネル（例えば、ＨＳ−ＤＳＣＨおよびＨＳ−ＰＤＳＣＨ）上でＵＥに割り当てられた時間間隔内でＵＥに伝送を送信する（ブロック１４１４）。
【００９３】
図１５は、割り当てられた時間間隔を用いてデータ受信のためにＵＥによって実行されるプロセス１５００を示す。ＵＥは、個々に選択された時間間隔のパターンによって与えられることが可能な、ＵＥへのデータ伝送のために使用可能な時間間隔の割当てを受信する（ブロック１５１２）。ＵＥは、ＵＥに割り当てられ、かつパターンに基づいて決定された時間間隔内で複数のＵＥによって共有されるデータチャネル上で伝送を受信する（ブロック１５１４）。ＵＥは、受信された伝送を処理して、伝送内で送信されたデータを回復しようと試みる（ブロック１５１６）。例えば、ＵＥは、時間間隔のために利用可能な複数の伝送形式に基づいて受信された伝送を処理すること、割り当てられた時間間隔に関してチャネライゼーションコードを用いて受信された伝送を逆拡散することなどが可能である。ＵＥはまた、例えば、ＵＥ用の識別子を用いてデータおよび／または受信されたＣＲＣをディスクランブルすることによって、受信された伝送から回復されたデータがＵＥを対象とするかどうかを決定することも可能である。ＵＥは、割り当てられた時間間隔の間、共有データチャネルを監視することができ、残りの時間の間、共有データチャネルの監視を省くことができる。
【００９４】
３．割り当てられたパラメータと割り当てられた時間間隔を用いた伝送
一般に、ノードＢは様々な方法でＵＥに伝送を送信することができる。表３は、ＵＥに伝送を送信するためのいくつかの構成を列挙する。その他の構成が定義されることも可能である。
【表３】
2009514485.tif 000005
【００９５】
構成１では、ノードＢは、任意のパラメータを用いて任意のサブフレーム内でＵＥに伝送を送信することができ、ＨＳＤＰＡ内で現在実行されるように、各伝送に先立ってＨＳ−ＳＣＣＨ上でシグナリングを送信することになる。構成２では、ノードＢは、ＵＥに割り当てられたサブフレーム内だけで、割り当てられたパラメータだけを使用して、ＵＥに伝送を送信することができる。ノードＢはＨＳ−ＳＣＣＨ上でいかなるシグナリングも送信しない。この構成では、ＵＥは割り当てられたパラメータに基づいて割り当てられたサブフレーム内だけでＨＳ−ＰＤＳＣＨを処理することができ、その他のサブフレーム内では休止状態となることが可能である。構成３では、ノードＢは、割り当てられたパラメータを使用して、任意のサブフレーム内でＵＥに伝送を送信することができ、シグナリングを送信しないことになる。ＵＥは、割り当てられたパラメータに基づいて各サブフレーム内でＨＳ−ＰＤＳＣＨを処理することができる。
【００９６】
構成４では、ノードＢは、割り当てられたサブフレーム内だけでＵＥに伝送を送信することができる。ノードＢは割り当てられたパラメータを使用することができ、その場合、シグナリングを送信しないことになる。ノードＢはまた、割り当てられていないパラメータを使用することも可能であり、その場合、ＨＳ−ＳＣＣＨ上でシグナリングを送信することになる。構成５では、ノードＢは、割り当てられたパラメータを使用して割り当てられたサブフレーム内でＵＥに伝送を送信することができ、任意のパラメータを使用してその他のサブフレーム内で伝送を送信することができる。この構成では、ノードＢは、（ａ）表３で示されたように、割り当てられていないサブフレーム内で伝送を送信する場合、または（ｂ）割り当てられていないパラメータを使用する場合、ＨＳ−ＳＣＣＨ上でシグナリングを送信することができる。構成６では、ノードＢは、割り当てられたパラメータまたは割り当てられていないパラメータを使用して任意のサブフレーム内で伝送を送信することができ、割り当てられていないパラメータを使用する場合、シグナリングを送信することになる。構成４、５、および６は、ＵＥへの伝送に関して、割り当てられたパラメータおよび割り当てられていないパラメータの使用をサポートする。割り当てられていないパラメータは、構成４では割り当てられたサブフレームに制限され、構成５では割り当てられていないサブフレームに制限され、構成６では任意のサブフレームに制限されない。構成４、５、および６は、ＨＳ−ＳＣＣＨ上で送信されたシグナリングを用いて既存のＨＳ−ＤＳＣＨ形式、およびＨＳ−ＳＣＣＨ上でシグナリングなしの新しいＨＳ−ＤＳＣＨ形の両方を使用して伝送が送信されることを可能にする。
【００９７】
表３の構成４および６など、いくつかの構成では、ＵＥは、ＨＳ−ＳＣＣＨ上でシグナリングを用いてまたはシグナリングなしで伝送を受信することが可能である。この場合、ＵＥは、シグナリングがＵＥに送信されたかどうかを決定するためにＨＳ−ＳＣＣＨを処理することができる。シグナリングがＨＳ−ＳＣＣＨ上で受信された場合、ＵＥは受信されたシグナリングに基づいてＨＳ−ＰＤＳＣＨを処理することができる。シグナリングがＨＳ−ＳＣＣＨ上で受信されない場合、ＵＥは割り当てられたパラメータに基づいてＨＳ−ＰＤＳＣＨを処理することができる。シグナリングが受信されない場合、上で説明されたように、ＵＥは、ＨＳ−ＰＤＳＣＨ上で受信された伝送に関して盲目的復号を実行することが可能である。
【００９８】
図１６は、シグナリングを用いたデータ伝送およびシグナリングなしのデータ伝送のためにノードＢによって実行されるプロセス１６００を示す。ノードＢは、例えば、呼セットアップまたは再構成の間に少なくとも１つのパラメータの割当てをＵＥに送信する（ブロック１６１２）。ノードＢは、伝送のために選択された少なくとも１つのパラメータに基づいて伝送をＵＥに送信する（ブロック１６１４）。ノードＢは、共有データチャネル上で伝送を送信することができる。少なくとも１つの選択されたパラメータが、少なくとも１つの割り当てられたパラメータ内に存在しない場合、ノードＢは、少なくとも１つの選択されたパラメータを備えるシグナリングをＵＥに送信する（ブロック１６１６）。少なくとも１つの選択されたパラメータが、少なくとも１つの割り当てられたパラメータ内に存在する場合、ノードＢは伝送のためにシグナリングを送信しない（ブロック１６１８）。
【００９９】
ノードＢは、ＵＥに送信された各伝送に関して少なくとも１つのパラメータを選択することができ、少なくとも１つの割り当てられたパラメータ内に存在しないパラメータを用いて送信された伝送に関してだけシグナリングを送信することができる。表３内の構成４および５の場合、ノードＢは、ＵＥに割り当てられた時間間隔の間に送信された伝送に関して少なくとも１つの割り当てられたパラメータだけを使用する。構成６の場合、ノードＢは、ＵＥへの各伝送に関して、割り当てられたパラメータまたは割り当てられていないパラメータを使用することができる。
【０１００】
図１７は、シグナリングを用いたデータ受信およびシグナリングなしのデータ受信のためにＵＥによって実行されるプロセス１７００を示す。ＵＥは、例えば、呼セットアップまたは再構成の間に、少なくとも１つのパラメータの割当てを受信する（ブロック１７１２）。ＵＥは制御チャネル上、例えば、ＨＳ−ＳＣＣＨ上でシグナリングを復号する（ブロック１７１４）。シグナリングが首尾よく復号された場合、ＵＥは、シグナリングから取得された少なくとも１つのパラメータに基づいて、データチャネル（例えば、ＨＳ−ＤＳＣＨおよびＨＳ−ＰＤＳＣＨ）上で伝送を処理する（ブロック１７１６）。シグナリングが首尾よく復号されない場合、ＵＥは、少なくとも１つの割り当てられたパラメータに基づいて伝送を処理する（ブロック１７１８）。
【０１０１】
ブロック１７１８の場合、ＵＥはまず、少なくとも１つの割り当てられたパラメータの第１のセット（例えば、第１の伝送形式）に基づいて伝送を処理することができ、伝送が首尾よく復号されない場合、少なくとも１つの割り当てられたパラメータの第２のセット（例えば、第２の伝送形式）に基づいて伝送を処理することができる。ＨＡＲＱの場合、ＵＥはまず新しい伝送として伝送を処理して、伝送が首尾よく復号されない場合、再伝送として伝送を処理することができる。再伝送として処理する場合、ＵＥは、組み合わされた伝送を取得するために、伝送を記憶された伝送と組み合わせて、次いで、少なくとも１つの割り当てられたパラメータに基づいて、組み合わされた伝送を処理することが可能である。ＵＥはまた、伝送が首尾よく復号されない場合、今後の組合せのために伝送を記憶することも可能である。
【０１０２】
本明細書で説明された技術は、リアルタイムサービス（例えば、ＶｏＩＰ、ビデオ、ゲーミングなど）ならびにバースト的サービス（ｂｕｒｓｔｙ  ｓｅｒｖｉｃｅｓ）を効率的にサポートするために使用されることが可能である。技術は、共有データチャネルが、ダウンリンク上で頻繁に小さなパケットを送信するサービス、ならびにデータのバーストを送信することができるその他のサービスを効率的にサポートすることを可能にする。これらの技術は、アップリンク上よりもダウンリンク上でより多くのデータが送信される非対称アプリケーションに関して特に有利である。これらの非対称アプリケーションは、ゲーミング、リアルタイムのストリーミングビデオ、リアルタイムのストリーミング音声、インタラクティブマルチメディアクエリ、ブロードキャストなどを含んでよい。これらの技術はシステム容量を改善し、その結果、リアルタイムサービスの待ち時間を改善する。ダウンリンク上のより低い待ち時間は、（ａ）ラウンドトリップ遅延全体に敏感な可能性があるユーザ体感を改善すること、および／または（ｂ）アップリンク容量を潜在的に増加する可能性がある所与のラウンドトリップ遅延に関してアップリンク上でより多くの待ち時間を可能にすることができる。これらの技術はまた、ネットワーク業者が、リアルタイムサービス（例えば、ＶｏＩＰ）とその他のサービスとをより円滑に混合することを可能にすることもできる。
【０１０３】
これらの技術は、上で説明されたように、ＨＳＤＰＡに関して使用され得る。割り当てられたパラメータを用いた新しいＨＳ−ＤＳＣＨ形式は、関連するＨＳ−ＳＣＣＨ上でシグナリングを要求せず、ＨＳＤＰＡリリース５と後方互換性がある。新しいＨＳ−ＤＳＣＨ形式は、（ａ）ＵＥによるＤＲＸ動作を可能にするために割り当てられたサブフレーム内だけで、または（ｂ）柔軟性を提供するために任意のサブフレーム内で使用されることが可能である。
【０１０４】
本明細書で説明された技術は、上で説明されたように、ＣＤＭＡシステム内で使用されることが可能である。これらの技術はまた、システムリソースがユーザ間で共有されるその他の多元接続システム内で使用されることも可能である。例えば、これらの技術は、伝送電力と副搬送波（すなわち、トーン）とが共有され得るシステムリソースであるＯＦＤＭＡシステム内、タイムスロットが共有され得るシステムリソースであるＴＤＭＡシステム内などで使用されることが可能である。ＯＦＤＭＡシステムは、時間を通して擬似ランダムでまたは決定論的な方法で異なる副搬送波にマップされ得るホップポートを定義することができる。副搬送波と、ホップポートと、タイムスロットとは、ＣＤＭＡシステム内のチャネライゼーションコードと類似の方法で共有されることが可能である。上の説明は、類似の方法で、ＯＦＤＭＡシステムおよびＴＤＭＡシステムに応用され得る。
【０１０５】
当業者は、情報および信号は、様々な異なる技術および技法のいずれかを使用して表されることが可能であることを理解されよう。例えば、上の説明を通して参照されることが可能なデータ、命令、コマンド、情報、信号、ビット、記号、およびチップは、電圧、電流、電磁波、磁界もしくは磁性粒子、光場もしくは光粒子、またはそれらの任意の組合せによって表されることが可能である。
【０１０６】
当業者は、本明細書の開示に関して説明された様々な例示的な論理ブロック、論理モジュール、論理回路、および論理アルゴリズムステップは、電子ハードウェア、コンピュータソフトウェア、またはそれら両方の組合せとして実施され得る点をさらに理解されよう。ハードウェアとソフトウェアのこの交換可能性を明瞭に説明するために、様々な例示的な成分、ブロック、モジュール、回路、およびステップは、一般に、それらの機能性の点から上で説明されている。かかる機能性がハードウェアとして実施されるか、またはソフトウェアとして実施されるかは、特定のアプリケーションと、システム全体に課せられた設計制約とに依存する。当業者は、各特定のアプリケーションに関して、様々な方法で説明された機能性を実施することができるが、かかる実施決定は、本開示の範囲からの逸脱を引き起こすものと解釈されるべきではない。
【０１０７】
本明細書の開示に関して説明された様々な例示的な論理ブロック、論理モジュール、および論理回路は、汎用プロセッサ、デジタル信号プロセッサ（ＤＳＰ）、特定用途向け集積回路（ＡＳＩＣ）、フィールドプログラム可能なゲートアレイ（ＦＰＧＡ）、またはその他のプログラム可能な論理素子、離散ゲート（ｄｉｓｃｒｅｔｅ  ｇａｔｅ）もしくはトランジスタ論理、離散的なハードウェア成分、あるいは本明細書で説明された機能を実行するために設計されたそれらの任意の組合せを用いて実施または実行されることが可能である。汎用プロセッサはマイクロプロセッサであってよいが、代替形態では、プロセッサは、従来のプロセッサ、コントローラ、マイクロコントローラ、または状態機械であってよい。プロセッサはまた、コンピューティング装置の組合せ、例えば、ＤＳＰとマイクロプロセッサの組合せ、複数のマイクロプロセッサ、ＤＳＰコアと共に１つもしくは複数のマイクロプロセッサ、または任意のその他のかかる構成として実施されてもよい。
【０１０８】
本明細書の開示に関して説明された方法のステップまたはアルゴリズムは、ハードウェア内で直接的に、プロセッサによって実行されるソフトウェアモジュール内で、またはそれら２つの組合せで実施されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られているその他の形式の中に存在してよい。例示的な記憶媒体は、プロセッサが記憶媒体から情報を読み取り、かつ記憶媒体に情報を書き込むことが可能なようにプロセッサに結合される。代替形態では、記憶媒体はプロセッサと一体であってよい。プロセッサと記憶媒体とはＡＳＩＣ内に存在してもよい。ＡＳＩＣはユーザ端末内に存在してもよい。代替形態では、プロセッサと記憶媒体とはユーザ端末内に離散成分として存在してもよい。
【０１０９】
本明細書では、見出しは参照のため、および一定の項目の位置を突き止めるのを支援するために包含される。これらの見出しは、本明細書の下で説明された概念の範囲を限定することが意図されず、それらの概念は明細書全体を通してその他の項目内で適用可能性を有する場合がある。
【０１１０】
本開示の先の説明は、当業者が本開示を行うまたは使用することを可能にするために提供される。本開示に対する様々な変更形態は当業者に容易に明らかになるであろう。また、本明細書で定義された一般原理は、本開示の精神または範囲から逸脱せずにその他の実施形態に適応されることが可能である。したがって、本開示は、本明細書で説明される例に限定されることが意図されず、本明細書で開示された原理と新規性のある特徴とに一致する最大範囲が認められるべきである。
【図面の簡単な説明】
【０１１１】
【図１】無線通信システムを示す図。
【図２】ノードＢとＵＥのブロック図を示す図。
【図３】Ｗ−ＣＤＭＡにおけるフレーム形式を示す図。
【図４】ＨＳＤＰＡにおけるＨＡＲＱを用いたＵＥ向けの伝送を示す図。
【図５】ＨＳＤＰＡにおける複数のＵＥ向けの伝送を示す図。
【図６】割り当てられたパラメータを用いたＵＥ向けの伝送を示す図。
【図７】割り当てられたパラメータを用いた複数のＵＥ向けの伝送を示す図。
【図８】ノードＢでのＴＸデータプロセッサと変調器とを示す図。
【図９】ＵＥでの復調器とＲＸデータプロセッサとを示す図。
【図１０】シグナリングなしのデータ伝送のためのプロセスを示す図。
【図１１】シグナリングなしのデータ受信のためのプロセスを示す図。
【図１２】６個のＵＥのために割り当てられた時間間隔の例示的なパターンを示す図。
【図１３Ａ】１個のＵＥ向けの例示的な伝送を示す図。
【図１３Ｂ】１個のＵＥ向けの例示的な伝送を示す図。
【図１３Ｃ】１個のＵＥ向けの例示的な伝送を示す図。
【図１４】割り当てられた時間間隔を用いたデータ伝送のためのプロセスを示す図。
【図１５】割り当てられた時間間隔を用いたデータ受信のためのプロセスを示す図。
【図１６】シグナリンを用いたデータ伝送とシグナリングなしのデータ伝送のためのプロセスを示す図。
【図１７】シグナリングを用いたデータ受信とシグナリングなしのデータ受信のためのプロセスを示す図。
【図１】
2009514485.tif 000006
【図２】
2009514485.tif 000007
【図３】
2009514485.tif 000008
【図４】
2009514485.tif 000009
【図５】
2009514485.tif 000010
【図６】
2009514485.tif 000011
【図７】
2009514485.tif 000012
【図８】
2009514485.tif 000013
【図９】
2009514485.tif 000014
【図１０】
2009514485.tif 000015
【図１１】
2009514485.tif 000016
【図１２】
2009514485.tif 000017
【図１３Ａ】
2009514485.tif 000018
【図１３Ｂ】
2009514485.tif 000019
【図１３Ｃ】
2009514485.tif 000020
【図１４】
2009514485.tif 000021
【図１５】
2009514485.tif 000022
【図１６】
2009514485.tif 000023
【図１７】
2009514485.tif 000024
【国際調査報告】
2009514485.tif 000025
2009514485.tif 000026
2009514485.tif 000027
2009514485.tif 000028
2009514485.tif 000029
2009514485.tif 000030